(57)【要約】本発明は、ユーザーイクイップメントによりワイヤレス・フィディリティ（Ｗｉ−Ｆｉ）にアクセスする方法およびＷｉ−Ｆｉアクセスポイントを提供する。ユーザーイクイップメントによりワイヤレス・フィディリティ（Ｗｉ−Ｆｉ）にアクセスする方法は、Ｗｉ−Ｆｉアクセスポイントが、第１のＷｉ−Ｆｉネットワークを発見するステップと、ユーザーイクイップメントがＷｉ−Ｆｉアクセスポイントにアクセスした後、Ｗｉ−Ｆｉアクセスポイントが、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定するステップと、ユーザーイクイップメントが第１のＷｉ−Ｆｉネットワークにアクセスできると判定された場合、Ｗｉ−Ｆｉアクセスポイントが、ネットワークアクセス構成をユーザーイクイップメントに送信するステップであって、ネットワークアクセス構成はユーザーイクイップメントが第１のＷｉ−Ｆｉネットワークにアクセスするために用いられる、ステップと、を有する。本発明の実施形態は、Ｗｉ−Ｆｉアクセスポイントを用いることなく第１のＷｉ−Ｆｉネットワークに直接アクセスすることができるユーザーイクイップメントを実現することができる。
2016533683.tif 000002
【特許請求の範囲】
【請求項１】
ユーザーイクイップメントによりワイヤレス・フィディリティ（Ｗｉ−Ｆｉ）ネットワークにアクセスする方法であって、
Ｗｉ−Ｆｉアクセスポイントが、第１のＷｉ−Ｆｉネットワークを発見するステップと、
ユーザーイクイップメントが前記Ｗｉ−Ｆｉアクセスポイントによって確立された第２のＷｉ−Ｆｉネットワークにアクセスした後、前記Ｗｉ−Ｆｉアクセスポイントが、前記ユーザーイクイップメントと前記第１のＷｉ−Ｆｉネットワークとの間の通信品質と、前記ユーザーイクイップメントおよび前記第１のＷｉ−Ｆｉネットワークの機能構成とのうち少なくとも１つに従って、前記ユーザーイクイップメントが前記第１のＷｉ−Ｆｉネットワークにアクセスできるか否かを判定するステップと、
前記ユーザーイクイップメントが前記第１のＷｉ−Ｆｉネットワークに接続できると前記Ｗｉ−Ｆｉアクセスポイントが判定した場合、前記Ｗｉ−Ｆｉアクセスポイントが、前記第１のＷｉ−Ｆｉネットワークのネットワークアクセス構成を前記ユーザーイクイップメントに送信するステップであって、前記第１のＷｉ−Ｆｉネットワークの前記ネットワークアクセス構成は前記ユーザーイクイップメントが前記第１のＷｉ−Ｆｉネットワークにアクセスするために用いられる、ステップと、
を有する方法。
【請求項２】
Ｗｉ−Ｆｉアクセスポイントが第１のＷｉ−Ｆｉネットワークを発見する前記ステップは、
前記Ｗｉ−Ｆｉアクセスポイントが、予め保存された前記第１のＷｉ−Ｆｉネットワークのネットワークアクセス構成を用いて、前記第１のＷｉ−Ｆｉネットワークにアクセスするステップ、
を有する、請求項１に記載の方法。
【請求項３】
前記第１のＷｉ−Ｆｉネットワークは、オペレータによって提供されるＷｉ−Ｆｉネットワークまたは別のＷｉ−Ｆｉアクセスポイントによって提供されるＷｉ−Ｆｉネットワークである、
請求項１または２に記載の方法。
【請求項４】
前記Ｗｉ−Ｆｉアクセスポイントが前記第１のＷｉ−Ｆｉネットワークのネットワークアクセス構成を前記ユーザーイクイップメントに送信する前記ステップの後に、
前記Ｗｉ−Ｆｉアクセスポイントが、前記ユーザーイクイップメントが前記第１のＷｉ−Ｆｉネットワークにアクセスしたか否かを問い合わせるか、または、前記Ｗｉ−Ｆｉアクセスポイントが、前記ユーザーイクイップメントによって報告され前記ユーザーイクイップメントが前記第１のＷｉ−Ｆｉネットワークにアクセスしたことを示すイベントを受信するステップと、
前記Ｗｉ−Ｆｉアクセスポイントが、前記ユーザーイクイップメントへの接続を切断する工程であって、前記接続は前記第２のＷｉ−Ｆｉネットワークに基づく工程と、前記第１のＷｉ−Ｆｉネットワークへの接続を切断する工程と、スリープモードに入る工程とのうち少なくとも１つを実行するステップと、
を更に有する、請求項１乃至３のいずれか一項に記載の方法。
【請求項５】
前記通信品質に従って前記ユーザーイクイップメントが前記第１のＷｉ−Ｆｉネットワークにアクセスできるか否かを判定する前記ステップは、特に、
前記第１のＷｉ−Ｆｉネットワークと前記Ｗｉ−Ｆｉアクセスポイントとの間の通信品質を検出し、前記第１のＷｉ−Ｆｉネットワークと前記Ｗｉ−Ｆｉアクセスポイントとの間の通信品質に従って、前記ユーザーイクイップメントが前記第１のＷｉ−Ｆｉネットワークにアクセスできるか否かを判定するステップ、または、
前記ユーザーイクイップメントと前記Ｗｉ−Ｆｉアクセスポイントとの間の通信品質に従って、且つ、前記第１のＷｉ−Ｆｉネットワークと前記Ｗｉ−Ｆｉアクセスポイントとの間の通信品質に従って、前記第１のＷｉ−Ｆｉネットワークと前記Ｗｉ−Ｆｉアクセスポイントとの間の前記通信品質を決定し、前記ユーザーイクイップメントが前記第１のＷｉ−Ｆｉネットワークにアクセスできるか否かを判定するステップ、
を有する、請求項１乃至４のいずれか一項に記載の方法。
【請求項６】
前記通信品質は、信号強度（ＲＳＳＩ）、信号対雑音比（ＳＮＲ）、信号対干渉雑音比（ＳＩＮＲ）およびパケット誤り率（ＰＥＲ）のうち少なくとも１つを含む、
請求項１乃至５のいずれか一項に記載の方法。
【請求項７】
前記機能構成は、前記ユーザーイクイップメントおよび前記第２のＷｉ−Ｆｉネットワークによってサポートされる周波数帯域と、前記ユーザーイクイップメントおよび前記第２のＷｉ−Ｆｉネットワークの動作モードとのうち少なくとも１つを含む、
請求項１乃至６のいずれか一項に記載の方法。
【請求項８】
前記ネットワークアクセス構成は、サービスセット識別子（ＳＳＩＤ）と、暗号化モードと、前記第１のＷｉ−Ｆｉネットワークのパスワードとのうち少なくとも１つを含む、
請求項１乃至７のいずれか一項に記載の方法。
【請求項９】
ユーザーイクイップメントによりワイヤレス・フィディリティ（Ｗｉ−Ｆｉ）ネットワークにアクセスする方法であって、Ｗｉ−Ｆｉアクセスポイントが第２のＷｉ−Ｆｉネットワークおよび第３のＷｉ−Ｆｉネットワークを確立し、
ユーザーイクイップメントが前記Ｗｉ−Ｆｉアクセスポイントによって確立された前記第２のＷｉ−Ｆｉネットワークにアクセスした後、前記Ｗｉ−Ｆｉアクセスポイントが、予め設定された条件に従って、前記ユーザーイクイップメントが前記第３のＷｉ−Ｆｉネットワークにアクセスできるか否かを判定するステップと、
前記ユーザーイクイップメントが前記第３のＷｉ−Ｆｉネットワークに接続できると前記Ｗｉ−Ｆｉアクセスポイントが判定した場合、前記Ｗｉ−Ｆｉアクセスポイントが、前記第３のＷｉ−Ｆｉネットワークのネットワークアクセス構成を前記ユーザーイクイップメントに送信するステップであって、前記第３のＷｉ−Ｆｉネットワークの前記ネットワークアクセス構成は前記ユーザーイクイップメントが前記第３のＷｉ−Ｆｉネットワークにアクセスするために用いられる、ステップと、
を有する方法。
【請求項１０】
前記Ｗｉ−Ｆｉアクセスポイントが予め設定された条件に従って前記ユーザーイクイップメントが前記第３のＷｉ−Ｆｉネットワークにアクセスできるか否かを判定する前記ステップは、特に、
前記Ｗｉ−Ｆｉアクセスポイントが、前記ユーザーイクイップメントと前記Ｗｉ−Ｆｉアクセスポイントとの接続の負荷状態と、前記ユーザーイクイップメントと前記第３のＷｉ−Ｆｉネットワークとの間の通信品質と、前記ユーザーイクイップメントおよび前記第３のＷｉ−Ｆｉネットワークの機能構成とのうち少なくとも１つに従って、前記ユーザーイクイップメントが前記第３のＷｉ−Ｆｉネットワークにアクセスできるか否かを判定するステップ、
を有する、請求項９に記載の方法。
【請求項１１】
前記通信品質は、信号強度（ＲＳＳＩ）、信号対雑音比（ＳＮＲ）、信号対干渉雑音比（ＳＩＮＲ）およびパケット誤り率（ＰＥＲ）のうち少なくとも１つを含む、
請求項９または１０に記載の方法。
【請求項１２】
前記機能構成は、前記ユーザーイクイップメントおよび前記第３のＷｉ−Ｆｉネットワークによってサポートされる周波数帯域と、前記ユーザーイクイップメントおよび前記第３のＷｉ−Ｆｉネットワークの動作モードとのうち少なくとも１つを含む、
請求項９乃至１１のいずれか一項に記載の方法。
【請求項１３】
前記ネットワークアクセス構成は、サービスセット識別子（ＳＳＩＤ）と、暗号化モードと、前記第３のＷｉ−Ｆｉネットワークのパスワードとのうち少なくとも１つを含む、
請求項９乃至１２のいずれか一項に記載の方法。
【請求項１４】
Ｗｉ−Ｆｉアクセスポイントであって、
第１のＷｉ−Ｆｉネットワークを発見するように構成されるアクセスモジュールと、
ユーザーイクイップメントが前記Ｗｉ−Ｆｉアクセスポイントによって確立された第３のＷｉ−Ｆｉネットワークにアクセスした後に、前記ユーザーイクイップメントと前記第１のＷｉ−Ｆｉネットワークとの間の通信品質と、前記ユーザーイクイップメントおよび前記第１のＷｉ−Ｆｉネットワークの機能構成とのうち少なくとも１つに従って、前記ユーザーイクイップメントが前記第１のＷｉ−Ｆｉネットワークにアクセスできるか否かをように構成される判定モジュールと、
前記ユーザーイクイップメントが前記第１のＷｉ−Ｆｉネットワークにアクセスできると前記判定モジュールが判定した場合、前記第１のＷｉ−Ｆｉネットワークのネットワークアクセス構成を前記ユーザーイクイップメントに送信するように構成される送信モジュールであって、前記第１のＷｉ−Ｆｉネットワークの前記ネットワークアクセス構成は前記ユーザーイクイップメントが前記第１のＷｉ−Ｆｉネットワークにアクセスするために用いられる、送信モジュールと、
を備えるＷｉ−Ｆｉアクセスポイント。
【請求項１５】
前記アクセスモジュールは、
予め保存された前記第１のＷｉ−Ｆｉネットワークのネットワークアクセス構成を用いて、前記第１のＷｉ−Ｆｉネットワークにアクセスするように構成される、
請求項１４に記載のＷｉ−Ｆｉアクセスポイント。
【請求項１６】
前記第１のＷｉ−Ｆｉネットワークは、オペレータによって提供されるＷｉ−Ｆｉネットワークまたは別のＷｉ−Ｆｉアクセスポイントによって提供されるＷｉ−Ｆｉネットワークである、
請求項１４または１５に記載のＷｉ−Ｆｉアクセスポイント。
【請求項１７】
前記判定モジュールは更に、前記送信モジュールが前記第１のＷｉ−Ｆｉネットワークの前記ネットワークアクセス構成を前記ユーザーイクイップメントに送信した後、前記ユーザーイクイップメントが前記第１のＷｉ−Ｆｉネットワークにアクセスしたか否かを問い合わせるか、または、前記ユーザーイクイップメントによって報告され前記ユーザーイクイップメントが前記第１のＷｉ−Ｆｉネットワークにアクセスしたことを示すイベントを受信するように構成され、
前記送信モジュールは、前記ユーザーイクイップメントへの接続を切断する工程であって、前記接続は第２のＷｉ−Ｆｉネットワークに基づく工程と、前記第１のＷｉ−Ｆｉネットワークへの接続を切断する工程と、スリープモードに入る工程とのうち少なくとも１つを実行するように構成される、
請求項１４乃至１６のいずれか一項に記載のＷｉ−Ｆｉアクセスポイント。
【請求項１８】
前記判定モジュールは特に、
前記第１のＷｉ−Ｆｉネットワークと前記Ｗｉ−Ｆｉアクセスポイントとの間の通信品質を検出し、前記第１のＷｉ−Ｆｉネットワークと前記Ｗｉ−Ｆｉアクセスポイントとの間の通信品質に従って、前記ユーザーイクイップメントが前記第１のＷｉ−Ｆｉネットワークにアクセスできるか否かを判定するように構成されるか、または、
前記ユーザーイクイップメントと前記Ｗｉ−Ｆｉアクセスポイントとの間の通信品質に従って、且つ、前記第１のＷｉ−Ｆｉネットワークと前記Ｗｉ−Ｆｉアクセスポイントとの間の通信品質に従って、前記ユーザーイクイップメントが前記第１のＷｉ−Ｆｉネットワークにアクセスできるか否かを判定するように構成される、
請求項１４乃至１７に記載のＷｉ−Ｆｉアクセスポイント。
【請求項１９】
前記通信品質は、信号強度（ＲＳＳＩ）、信号対雑音比（ＳＮＲ）、信号対干渉雑音比（ＳＩＮＲ）およびパケット誤り率（ＰＥＲ）のうち少なくとも１つを含む、
請求項１４乃至１８のいずれか一項に記載のＷｉ−Ｆｉアクセスポイント。
【請求項２０】
前記機能構成は、前記ユーザーイクイップメントおよび前記第２のＷｉ−Ｆｉネットワークによってサポートされる周波数帯域と、前記ユーザーイクイップメントおよび前記第２のＷｉ−Ｆｉネットワークの動作モードとのうち少なくとも１つを含む、
請求項１４乃至１９のいずれか一項に記載のＷｉ−Ｆｉアクセスポイント。
【請求項２１】
前記ネットワークアクセス構成は、サービスセット識別子（ＳＳＩＤ）と、暗号化モードと、前記第１のＷｉ−Ｆｉネットワークのパスワードとを含む、
請求項１４乃至２０のいずれか一項に記載のＷｉ−Ｆｉアクセスポイント。
【請求項２２】
Ｗｉ−Ｆｉアクセスポイントであって、前記Ｗｉ−Ｆｉアクセスポイントは第２のＷｉ−Ｆｉネットワークおよび第３のＷｉ−Ｆｉネットワークを確立し、
ユーザーイクイップメントが前記Ｗｉ−Ｆｉアクセスポイントによって確立された前記第２のＷｉ−Ｆｉネットワークにアクセスした後、予め設定された条件に従って、前記ユーザーイクイップメントが前記第３のＷｉ−Ｆｉネットワークにアクセスできるか否かを判定するように構成される判定モジュールと
前記ユーザーイクイップメントが前記第３のＷｉ−Ｆｉネットワークにアクセスできると前記判定モジュールが判定した場合、前記第３のＷｉ−Ｆｉネットワークのネットワークアクセス構成を前記ユーザーイクイップメントに送信するように構成される送信モジュールであって、前記第３のＷｉ−Ｆｉネットワークの前記ネットワークアクセス構成は前記ユーザーイクイップメントが前記第３のＷｉ−Ｆｉネットワークにアクセスするために用いられる、送信モジュールと、
を備えるＷｉ−Ｆｉアクセスポイント。
【請求項２３】
前記判定モジュールは特に、
前記ユーザーイクイップメントと前記Ｗｉ−Ｆｉアクセスポイントとの接続の負荷状態と、前記ユーザーイクイップメントと前記第２のＷｉ−Ｆｉネットワークとの間の通信品質と、前記ユーザーイクイップメントおよび前記第２のＷｉ−Ｆｉネットワークの機能構成とのうち少なくとも１つに従って、前記ユーザーイクイップメントが前記第２のＷｉ−Ｆｉネットワークにアクセスできるか否かを判定するように構成される、
請求項２２に記載のＷｉ−Ｆｉアクセスポイント。
【請求項２４】
前記通信品質は、信号強度（ＲＳＳＩ）、信号対雑音比（ＳＮＲ）、信号対干渉雑音比（ＳＩＮＲ）およびパケット誤り率（ＰＥＲ）のうち少なくとも１つを含む、
請求項２２または２３に記載のＷｉ−Ｆｉアクセスポイント。
【請求項２５】
前記機能構成は、前記ユーザーイクイップメントおよび前記第２のＷｉ−Ｆｉネットワークによってサポートされる周波数帯域と、前記ユーザーイクイップメントおよび前記第２のＷｉ−Ｆｉネットワークの動作モードとのうち少なくとも１つを含む、
請求項２２乃至２４のいずれか一項に記載のＷｉ−Ｆｉアクセスポイント。
【請求項２６】
前記ネットワークアクセス構成は、サービスセット識別子（ＳＳＩＤ）と、暗号化モードと、前記第１のＷｉ−Ｆｉネットワークのパスワードとを含む、
請求項２２乃至２５のいずれか一項に記載のＷｉ−Ｆｉアクセスポイント。
【発明の詳細な説明】
【技術分野】
【０００１】
本発明の実施形態は通信技術に関し、特に、ユーザーイクイップメントによりワイヤレス・フィディリティ（Ｗｉ−Ｆｉ）にアクセスする方法およびＷｉ−Ｆｉアクセスポイントに関する。
【背景技術】
【０００２】
ワイヤレス・フィディリティ（Wireless-Fidelity、略称Ｗｉ−Ｆｉ）技術の継続的な発展に伴い、新しいタイプの無線ルーターすなわちモバイル・ワイヤレス・フィディリティ（Mobile  Wireless  Fidelity、略称Ｍｏｂｉｌｅ  Ｗｉ−Ｆｉ）ルーターが内蔵バッテリ、小さいサイズおよび高い携帯性を理由に市場で人気を集めている。図１は、既存のＭｏｂｉｌｅ  Ｗｉ−Ｆｉルーターのシステム原理図である。図１に示されるように、ダウンリンク方向では、別のデバイスがＷｉ−Ｆｉネットワークにアクセスできるように、Ｍｏｂｉｌｅ  Ｗｉ−ＦｉルーターはＷｉ−Ｆｉネットワークを確立するＷｉ−Ｆｉアクセスポイントとして用いることができる。別のデバイスがＷｉ−Ｆｉアクセスポイントにアクセスできるように、ＵＳＢインターフェース、Ｂｌｕｅｔｏｏｔｈインターフェース等をＷｉ−Ｆｉアクセスポイントに構成することができる。アップリンク方向では、Ｍｏｂｉｌｅ  Ｗｉ−Ｆｉルーターは加入者識別モジュールカードを用いて３Ｇ／４Ｇネットワークにアクセスすることができ、それによってＩｎｔｅｒｎｅｔにアクセスする。Ｍｏｂｉｌｅ  Ｗｉ−Ｆｉルーターは更に、Ｍｏｂｉｌｅ  Ｗｉ−Ｆｉルーターが位置する環境内の別のＷｉ−Ｆｉネットワークにアクセスし、該別のＷｉ−Ｆｉネットワークを用いてＩｎｔｅｒｎｅｔにアクセスすることができる。
【０００３】
３Ｇ／４Ｇネットワークを用いてＩｎｔｅｒｎｅｔにアクセスするために、ユーザーは一般に使用するトラフィックに従って料金を支払う必要があるが、Ｗｉ−Ｆｉネットワークは一般に無料であるか、比較的料金が安い。したがって、上述の事項に基づき、別のユーザーイクイップメントを用いてＭｏｂｉｌｅ  Ｗｉ−Ｆｉルーターを用いてＩｎｔｅｒｎｅｔにアクセスするとき、ユーザーは、好ましくはＭｏｂｉｌｅ  Ｗｉ−Ｆｉルーターの位置する環境内の別のＷｉ−Ｆｉネットワークを利用して、アップリンク方向でＩｎｔｅｒｎｅｔにアクセスすることを望む。
【０００４】
現在のやり方では、別の利用可能なＷｉ−Ｆｉネットワークがあることが検出されると、Ｍｏｂｉｌｅ  Ｗｉ−Ｆｉルーターは優先的に該別のＷｉ−Ｆｉネットワークに接続し、別のユーザーイクイップメントがＭｏｂｉｌｅ  Ｗｉ−Ｆｉルーターにアクセスし、Ｍｏｂｉｌｅ  Ｗｉ−Ｆｉルーターを用いてＩｎｔｅｒｎｅｔに接続する。しかしながら、このやり方では、ユーザーイクイップメント自体のＷｉ−Ｆｉ機能が十分に利用されない。また、複数のＷｉ−Ｆｉネットワークリンクが存在するので、たやすく信号干渉が発生し、Ｍｏｂｉｌｅ  Ｗｉ−Ｆｉルーターが不必要に電気エネルギーを消費してしまう。
【発明の概要】
【０００５】
本発明は、ユーザーイクイップメントがワイヤレス・フィディリティ（Ｗｉ−Ｆｉ）アクセスポイントを用いることなく、直接的に希望のＷｉ−Ｆｉネットワークに接続することのできる、ユーザーイクイップメントによりワイヤレス・フィディリティ（Ｗｉ−Ｆｉ）にアクセスする方法およびＷｉ−Ｆｉアクセスポイントを提供する。
【０００６】
第１の態様によれば、本発明は、ユーザーイクイップメントによりワイヤレス・フィディリティ（Ｗｉ−Ｆｉ）にアクセスする方法を提供する。本方法は、
Ｗｉ−Ｆｉアクセスポイントが、第１のＷｉ−Ｆｉネットワークを発見するステップと、
ユーザーイクイップメントがＷｉ−Ｆｉアクセスポイントによって確立された第２のＷｉ−Ｆｉネットワークにアクセスした後、Ｗｉ−Ｆｉアクセスポイントが、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定するステップと、
ユーザーイクイップメントが第１のＷｉ−Ｆｉネットワークに接続できるとＷｉ−Ｆｉアクセスポイントが判定した場合、Ｗｉ−Ｆｉアクセスポイントが、第１のＷｉ−Ｆｉネットワークのネットワークアクセス構成をユーザーイクイップメントに送信するステップであって、第１のＷｉ−Ｆｉネットワークのネットワークアクセス構成はユーザーイクイップメントが第１のＷｉ−Ｆｉネットワークにアクセスするために用いられる、ステップと、
を有する。
【０００７】
第１の態様に関して、第１の実施方式では、Ｗｉ−Ｆｉアクセスポイントが第１のＷｉ−Ｆｉネットワークを発見するステップは、
Ｗｉ−Ｆｉアクセスポイントが、予め保存された第１のＷｉ−Ｆｉネットワークのネットワークアクセス構成を用いて、第１のＷｉ−Ｆｉネットワークにアクセスするステップ、
を有する。
【０００８】
第１の態様および第１の実施方式に関して、第２の実施方式では、第１のＷｉ−Ｆｉネットワークは、オペレータによって提供されるＷｉ−Ｆｉネットワークまたは別のＷｉ−Ｆｉアクセスポイントによって提供されるＷｉ−Ｆｉネットワークである。
【０００９】
第１の態様および上述の２つの実施方式に関して、第３の実施方式では、Ｗｉ−Ｆｉアクセスポイントが、第１のＷｉ−Ｆｉネットワークのネットワークアクセス構成をユーザーイクイップメントに送信するステップの後に、本方法は更に、
Ｗｉ−Ｆｉアクセスポイントが、ユーザーイクイップメントが第１のＷｉ−Ｆｉネットワークにアクセスしたか否かを問い合わせるか、または、Ｗｉ−Ｆｉアクセスポイントが、ユーザーイクイップメントによって報告されユーザーイクイップメントが第１のＷｉ−Ｆｉネットワークにアクセスしたことを示すイベントを受信するステップと、
Ｗｉ−Ｆｉアクセスポイントが、ユーザーイクイップメントへの接続を切断する工程であって、接続は第２のＷｉ−Ｆｉネットワークに基づく工程と、第１のＷｉ−Ｆｉネットワークへの接続を切断する工程と、スリープモードに入る工程とのうち少なくとも１つを実行するステップと、
を有する。
【００１０】
第１の態様および上述の３つの実施方式に関して、第４の実施方式では、通信品質に従ってユーザーイクイップメントが第１のＷｉ−Ｆｉネットワークにアクセスできるか否かを判定するステップは、特に、
第１のＷｉ−ＦｉネットワークとＷｉ−Ｆｉアクセスポイントとの間の通信品質を検出し、第１のＷｉ−ＦｉネットワークとＷｉ−Ｆｉアクセスポイントとの間の通信品質に従って、ユーザーイクイップメントが第１のＷｉ−Ｆｉネットワークにアクセスできるか否かを判定するステップ、または、
ユーザーイクイップメントとＷｉ−Ｆｉアクセスポイントとの間の通信品質に従って、且つ、第１のＷｉ−ＦｉネットワークとＷｉ−Ｆｉアクセスポイントとの間の通信品質に従って、第１のＷｉ−ＦｉネットワークとＷｉ−Ｆｉアクセスポイントとの間の通信品質を決定し、ユーザーイクイップメントが第１のＷｉ−Ｆｉネットワークにアクセスできるか否かを判定するステップ、
を有する。
【００１１】
第１の態様および上述の４つの実施方式に関して、第５の実施方式では、通信品質は、信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【００１２】
第１の態様および上述の５つの実施方式に関して、第６の実施方式では、機能構成は、ユーザーイクイップメントおよび第２のＷｉ−Ｆｉネットワークによってサポートされる周波数帯域と、ユーザーイクイップメントおよび第２のＷｉ−Ｆｉネットワークの動作モードとのうち少なくとも１つを含む。
【００１３】
第１の態様および上述の６つの実施方式に関して、第７の実施方式では、ネットワークアクセス構成は、サービスセット識別子（ＳＳＩＤ）と、暗号化モードと、第１のＷｉ−Ｆｉネットワークのパスワードとを含む。
【００１４】
第２の態様によれば、本発明は、ユーザーイクイップメントによりワイヤレス・フィディリティ（Ｗｉ−Ｆｉ）にアクセスする方法を提供する。Ｗｉ−Ｆｉアクセスポイントは、第２のＷｉ−Ｆｉネットワークおよび第３のＷｉ−Ｆｉネットワークを確立する。本方法は、ユーザーイクイップメントがＷｉ−Ｆｉアクセスポイントによって確立された第２のＷｉ−Ｆｉネットワークにアクセスした後、Ｗｉ−Ｆｉアクセスポイントが、予め設定された条件に従って、ユーザーイクイップメントが第３のＷｉ−Ｆｉネットワークにアクセスできるか否かを判定するステップと、
ユーザーイクイップメントが第３のＷｉ−Ｆｉネットワークに接続できるとＷｉ−Ｆｉアクセスポイントが判定した場合、Ｗｉ−Ｆｉアクセスポイントが、第３のＷｉ−Ｆｉネットワークのネットワークアクセス構成をユーザーイクイップメントに送信するステップであって、第３のＷｉ−Ｆｉネットワークのネットワークアクセス構成はユーザーイクイップメントが第３のＷｉ−Ｆｉネットワークにアクセスするために用いられる、ステップと、
を有する。
【００１５】
第２の態様に関して、第１の実施方式では、Ｗｉ−Ｆｉアクセスポイントが予め設定された条件に従ってユーザーイクイップメントが第３のＷｉ−Ｆｉネットワークにアクセスできるか否かを判定するステップは、特に、
Ｗｉ−Ｆｉアクセスポイントが、ユーザーイクイップメントとＷｉ−Ｆｉアクセスポイントとの接続の負荷状態と、ユーザーイクイップメントと第３のＷｉ−Ｆｉネットワークとの間の通信品質と、ユーザーイクイップメントおよび第３のＷｉ−Ｆｉネットワークの機能構成とのうち少なくとも１つに従って、ユーザーイクイップメントが第３のＷｉ−Ｆｉネットワークにアクセスできるか否かを判定するステップ、
を有する。
【００１６】
第２の態様および第１の実施方式に関して、第２の実施方式では、通信品質は、信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【００１７】
第２の態様および上述の２つの実施方式に関して、第３の実施方式では、機能構成は、ユーザーイクイップメントおよび第３のＷｉ−Ｆｉネットワークによってサポートされる周波数帯域と、ユーザーイクイップメントおよび第３のＷｉ−Ｆｉネットワークの動作モードとのうち少なくとも１つを含む。
【００１８】
第２の態様および上述の３つの実施方式に関して、第４の実施方式では、ネットワークアクセス構成は、サービスセット識別子（ＳＳＩＤ）と、暗号化モードと、第３のＷｉ−Ｆｉネットワークのパスワードとのうち少なくとも１つを含む。
【００１９】
第３の態様によれば、本発明はＷｉ−Ｆｉアクセスポイントを提供する。本Ｗｉ−Ｆｉアクセスポイントは、
第１のＷｉ−Ｆｉネットワークを発見するように構成されるアクセスモジュールと、
ユーザーイクイップメントがＷｉ−Ｆｉアクセスポイントによって確立された第３のＷｉ−Ｆｉネットワークにアクセスした後に、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定するように構成される判定モジュールと、
ユーザーイクイップメントが第１のＷｉ−Ｆｉネットワークにアクセスできると判定モジュールが判定した場合、第１のＷｉ−Ｆｉネットワークのネットワークアクセス構成をユーザーイクイップメントに送信するように構成される送信モジュールであって、第１のＷｉ−Ｆｉネットワークのネットワークアクセス構成はユーザーイクイップメントが第１のＷｉ−Ｆｉネットワークにアクセスするために用いられる、送信モジュールと、
を備える。
【００２０】
第３の態様に関して、第１の実施方式では、アクセスモジュールは、予め保存された第１のＷｉ−Ｆｉネットワークのネットワークアクセス構成を用いて、第１のＷｉ−Ｆｉネットワークにアクセスするように構成される。
【００２１】
第３の態様および第１の実施方式に関して、第２の実施方式では、第１のＷｉ−Ｆｉネットワークは、オペレータによって提供されるＷｉ−Ｆｉネットワークまたは別のＷｉ−Ｆｉアクセスポイントによって提供されるＷｉ−Ｆｉネットワークである。
【００２２】
第３の態様および上述の２つの実施方式に関して、第３の実施方式では、判定モジュールは更に、送信モジュールが第１のＷｉ−Ｆｉネットワークのネットワークアクセス構成をユーザーイクイップメントに送信した後、ユーザーイクイップメントが第１のＷｉ−Ｆｉネットワークにアクセスしたか否かを問い合わせるか、または、ユーザーイクイップメントによって報告されユーザーイクイップメントが第１のＷｉ−Ｆｉネットワークにアクセスしたことを示すイベントを受信するように構成され、
送信モジュールは、ユーザーイクイップメントへの接続を切断する工程であって、接続は第２のＷｉ−Ｆｉネットワークに基づく工程と、第１のＷｉ−Ｆｉネットワークへの接続を切断する工程と、スリープモードに入る工程とのうち少なくとも１つを実行するように構成される。
【００２３】
第３の態様および上述の３つの実施方式に関して、第４の実施方式では、判定モジュールは特に、
第１のＷｉ−ＦｉネットワークとＷｉ−Ｆｉアクセスポイントとの間の通信品質を検出し、第１のＷｉ−ＦｉネットワークとＷｉ−Ｆｉアクセスポイントとの間の通信品質に従って、ユーザーイクイップメントが第１のＷｉ−Ｆｉネットワークにアクセスできるか否かを判定するように構成されるか、または、
ユーザーイクイップメントとＷｉ−Ｆｉアクセスポイントとの間の通信品質に従って、且つ、第１のＷｉ−ＦｉネットワークとＷｉ−Ｆｉアクセスポイントとの間の通信品質に従って、ユーザーイクイップメントが第１のＷｉ−Ｆｉネットワークにアクセスできるか否かを判定するように構成される。
【００２４】
第３の態様および上述の４つの実施方式に関して、第５の実施方式では、通信品質は、信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【００２５】
第３の態様および上述の５つの実施方式に関して、第６の実施方式では、機能構成は、ユーザーイクイップメントおよび第２のＷｉ−Ｆｉネットワークによってサポートされる周波数帯域と、ユーザーイクイップメントおよび第２のＷｉ−Ｆｉネットワークの動作モードとのうち少なくとも１つを含む。
【００２６】
第３の態様および上述の６つの実施方式に関して、第７の実施方式では、ネットワークアクセス構成は、サービスセット識別子（ＳＳＩＤ）と、暗号化モードと、第１のＷｉ−Ｆｉネットワークのパスワードとを含む。
【００２７】
第４の態様によれば、本発明はＷｉ−Ｆｉアクセスポイントを提供する。Ｗｉ−Ｆｉアクセスポイントは、第２のＷｉ−Ｆｉネットワークおよび第３のＷｉ−Ｆｉネットワークを確立する。本Ｗｉ−Ｆｉアクセスポイントは、
ユーザーイクイップメントがＷｉ−Ｆｉアクセスポイントによって確立された第２のＷｉ−Ｆｉネットワークにアクセスした後、予め設定された条件に従って、ユーザーイクイップメントが第３のＷｉ−Ｆｉネットワークにアクセスできるか否かを判定するように構成される判定モジュールと、
ユーザーイクイップメントが第３のＷｉ−Ｆｉネットワークにアクセスできると判定モジュールが判定した場合、第３のＷｉ−Ｆｉネットワークのネットワークアクセス構成をユーザーイクイップメントに送信するように構成される送信モジュールであって、第３のＷｉ−Ｆｉネットワークのネットワークアクセス構成はユーザーイクイップメントが第３のＷｉ−Ｆｉネットワークにアクセスするために用いられる、送信モジュールと、
を備える。
【００２８】
第４の態様に関して、第１の実施方式では、判定モジュールは特に、
ユーザーイクイップメントとＷｉ−Ｆｉアクセスポイントとの接続の負荷状態と、ユーザーイクイップメントと第２のＷｉ−Ｆｉネットワークとの間の通信品質と、ユーザーイクイップメントおよび第２のＷｉ−Ｆｉネットワークの機能構成とのうち少なくとも１つに従って、ユーザーイクイップメントが第２のＷｉ−Ｆｉネットワークにアクセスできるか否かを判定するように構成される。
【００２９】
第４の態様および第１の実施方式に関して、第２の実施方式では、通信品質は、信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【００３０】
第４の態様および上述の２つの実施方式に関して、第３の実施方式では、機能構成は、ユーザーイクイップメントおよび第２のＷｉ−Ｆｉネットワークによってサポートされる周波数帯域と、ユーザーイクイップメントおよび第２のＷｉ−Ｆｉネットワークの動作モードとのうち少なくとも１つを含む。
【００３１】
第４の態様および上述の３つの実施方式に関して、第４の実施方式では、ネットワークアクセス構成は、サービスセット識別子（ＳＳＩＤ）と、暗号化モードと、第１のＷｉ−Ｆｉネットワークのパスワードを含む。
【００３２】
第５の態様によれば、本発明はＷｉ−Ｆｉアクセスポイントを提供する。本Ｗｉ−Ｆｉアクセスポイントは、
第１のＷｉ−Ｆｉネットワークを発見し、且つ、
ユーザーイクイップメントがＷｉ−Ｆｉアクセスポイントによって確立された第３のＷｉ−Ｆｉネットワークにアクセスした後に、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定するように構成される、プロセッサと、
ユーザーイクイップメントが第１のＷｉ−Ｆｉネットワークにアクセスできるとプロセッサが判定した場合、第１のＷｉ−Ｆｉネットワークのネットワークアクセス構成をユーザーイクイップメントに送信するように構成される送信部であって、第１のＷｉ−Ｆｉネットワークのネットワークアクセス構成はユーザーイクイップメントが第１のＷｉ−Ｆｉネットワークにアクセスするために用いられる、送信部と、
を備える。
【００３３】
第５の態様に関して、第１の実施方式では、プロセッサは、予め保存された第１のＷｉ−Ｆｉネットワークのネットワークアクセス構成を用いて、第１のＷｉ−Ｆｉネットワークにアクセスするように構成される。
【００３４】
第５の態様および第１の実施方式に関して、第２の実施方式では、第１のＷｉ−Ｆｉネットワークは、オペレータによって提供されるＷｉ−Ｆｉネットワークまたは別のＷｉ−Ｆｉアクセスポイントによって提供されるＷｉ−Ｆｉネットワークである。
【００３５】
第５の態様および上述の２つの実施方式に関して、第３の実施方式では、プロセッサは更に、第１のＷｉ−Ｆｉネットワークのネットワークアクセス構成がユーザーイクイップメントに送信された後、ユーザーイクイップメントが第１のＷｉ−Ｆｉネットワークにアクセスしたか否かを問い合わせるか、または、ユーザーイクイップメントによって報告されユーザーイクイップメントが第１のＷｉ−Ｆｉネットワークにアクセスしたことを示すイベントを受信するように構成され、
送信部は、ユーザーイクイップメントへの接続を切断する工程であって、接続は第２のＷｉ−Ｆｉネットワークに基づく工程と、第１のＷｉ−Ｆｉネットワークへの接続を切断する工程と、スリープモードに入る工程とのうち少なくとも１つを実行するように構成される。
【００３６】
第５の態様および上述の３つの実施方式に関して、第４の実施方式では、プロセッサは特に、
第１のＷｉ−ＦｉネットワークとＷｉ−Ｆｉアクセスポイントとの間の通信品質を検出し、第１のＷｉ−ＦｉネットワークとＷｉ−Ｆｉアクセスポイントとの間の通信品質に従って、ユーザーイクイップメントが第１のＷｉ−Ｆｉネットワークにアクセスできるか否かを判定するように構成されるか、または、
ユーザーイクイップメントとＷｉ−Ｆｉアクセスポイントとの間の通信品質に従って、且つ、第１のＷｉ−ＦｉネットワークとＷｉ−Ｆｉアクセスポイントとの間の通信品質に従って、ユーザーイクイップメントが第１のＷｉ−Ｆｉネットワークにアクセスできるか否かを判定するように構成される。
【００３７】
第５の態様および上述の４つの実施方式に関して、第５の実施方式では、通信品質は、信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【００３８】
第５の態様および上述の５つの実施方式に関して、第６の実施方式では、機能構成は、ユーザーイクイップメントおよび第２のＷｉ−Ｆｉネットワークによってサポートされる周波数帯域と、ユーザーイクイップメントおよび第２のＷｉ−Ｆｉネットワークの動作モードとのうち少なくとも１つを含む。
【００３９】
第５の態様および上述の６つの実施方式に関して、第７の実施方式では、ネットワークアクセス構成は、サービスセット識別子（ＳＳＩＤ）と、暗号化モードと、第１のＷｉ−Ｆｉネットワークのパスワードとを含む。
【００４０】
第６の態様によれば、本発明はＷｉ−Ｆｉアクセスポイントを提供する。本Ｗｉ−Ｆｉアクセスポイントは、第２のＷｉ−Ｆｉネットワークおよび第３のＷｉ−Ｆｉネットワークを確立する。本Ｗｉ−Ｆｉアクセスポイントは、
ユーザーイクイップメントがＷｉ−Ｆｉアクセスポイントによって確立された第２のＷｉ−Ｆｉネットワークにアクセスした後、予め設定された条件に従って、ユーザーイクイップメントが第３のＷｉ−Ｆｉネットワークにアクセスできるか否かを判定するように構成されるプロセッサと、
ユーザーイクイップメントが第３のＷｉ−Ｆｉネットワークにアクセスできるとプロセッサが判定した場合、第３のＷｉ−Ｆｉネットワークのネットワークアクセス構成をユーザーイクイップメントに送信するように構成される送信部であって、第３のＷｉ−Ｆｉネットワークのネットワークアクセス構成はユーザーイクイップメントが第３のＷｉ−Ｆｉネットワークにアクセスするために用いられる、送信部と、
を備える。
【００４１】
第６の態様に関して、第１の実施方式では、プロセッサは特に、
ユーザーイクイップメントとＷｉ−Ｆｉアクセスポイントとの接続の負荷状態と、ユーザーイクイップメントと第２のＷｉ−Ｆｉネットワークとの間の通信品質と、ユーザーイクイップメントおよび第２のＷｉ−Ｆｉネットワークの機能構成とのうち少なくとも１つに従って、ユーザーイクイップメントが第２のＷｉ−Ｆｉネットワークにアクセスできるか否かを判定するように構成される。
【００４２】
第６の態様および第１の実施方式に関して、第２の実施方式では、通信品質は、信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【００４３】
第６の態様および上述の２つの実施方式に関して、第３の実施方式では、機能構成は、ユーザーイクイップメントおよび第２のＷｉ−Ｆｉネットワークによってサポートされる周波数帯域と、ユーザーイクイップメントおよび第２のＷｉ−Ｆｉネットワークの動作モードとのうち少なくとも１つを含む。
【００４４】
第６の態様および上述の３つの実施方式に関して、第４の実施方式では、ネットワークアクセス構成は、サービスセット識別子（ＳＳＩＤ）と、暗号化モードと、第１のＷｉ−Ｆｉネットワークのパスワードとを含む。
【００４５】
本発明の実施形態において提供されるユーザーイクイップメントによりワイヤレス・フィディリティ（Ｗｉ−Ｆｉ）にアクセスする方法およびＷｉ−Ｆｉアクセスポイントによれば、Ｗｉ−Ｆｉアクセスポイントは、第１のＷｉ−Ｆｉネットワークを発見し、ユーザーイクイップメントがＷｉ−Ｆｉアクセスポイントによって確立された第２のＷｉ−Ｆｉネットワークにアクセスした後、Ｗｉ−Ｆｉアクセスポイントが、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定し、ユーザーイクイップメントが第１のＷｉ−Ｆｉネットワークに接続できるとＷｉ−Ｆｉアクセスポイントが判定した場合、Ｗｉ−Ｆｉアクセスポイントが、第１のＷｉ−Ｆｉネットワークのネットワークアクセス構成をユーザーイクイップメントに送信する。第１のＷｉ−Ｆｉネットワークのネットワークアクセス構成は、ユーザーイクイップメントが第１のＷｉ−Ｆｉネットワークにアクセスするために用いられる。このように、条件を満たすとき、ユーザーイクイップメントはＷｉ−Ｆｉアクセスポイントを利用することなく、第１のＷｉ−Ｆｉネットワークにアクセスすることができる。よって、複数のネットワークが直列に接続されることによって生じるパフォーマンスの損失（例えば信号干渉による損失）が低減され、Ｗｉ−Ｆｉアクセスポイントの電力消費が低減され、Ｗｉ−Ｆｉアクセスポイントの帯域が節約される。
【図面の簡単な説明】
【００４６】
本発明の実施形態または従来技術における技術的構成をより明確に説明するために、以下、実施形態または従来技術を説明する際に必要な添付の図面を簡単に紹介する。当然ながら、以下の説明において、添付の図面は本発明の実施形態の一部を示す。当業者であれば、これらの添付の図面から創意工夫なく他の図面を更に導出できるであろう。
【図１】既存のＭｏｂｉｌｅ  Ｗｉ−Ｆｉルーターのシステム原理図である。
【図２】本発明の実施形態１に係る、ユーザーイクイップメントによりワイヤレス・フィディリティ（Ｗｉ−Ｆｉ）にアクセスする方法の概略フローチャートである。
【図３】本発明の実施形態２に係る、ユーザーイクイップメントによりワイヤレス・フィディリティ（Ｗｉ−Ｆｉ）にアクセスする方法の概略フローチャートである。
【図４】本発明の実施形態３に係る、Ｗｉ−Ｆｉアクセスポイントの概略構造図である。
【図５】本発明の実施形態４に係る、Ｗｉ−Ｆｉアクセスポイントの概略構造図である。
【図６】本発明の実施形態５に係る、Ｗｉ−Ｆｉアクセスポイントの概略構造図である。
【図７】本発明の実施形態６に係る、Ｗｉ−Ｆｉアクセスポイントの概略構造図である。
【発明を実施するための形態】
【００４７】
本発明の実施形態の目的、技術的構成および利点をより明確にするために、以下、本発明の実施形態において添付の図面を参照して、本発明の実施形態における技術的構成を明確かつ完全に説明する。当然ながら、説明される実施形態は本発明の実施形態の一部であって全部ではない。当業者が本発明の実施形態に基づいて創意工夫なく得た他の実施形態は、全て本発明の保護範囲に包含されるものとする。
【００４８】
図２は、本発明の実施形態１に係る、ユーザーイクイップメントによりワイヤレス・フィディリティ（Ｗｉ−Ｆｉ）にアクセスする方法の概略フローチャートである。図２に示されるように、本実施形態において提供されるユーザーイクイップメントによりワイヤレス・フィディリティ（Ｗｉ−Ｆｉ）にアクセスする方法は、以下のステップを有する。
【００４９】
Ｓ１０１．Ｗｉ−Ｆｉアクセスポイントが、第１のＷｉ−Ｆｉネットワークを発見する。
【００５０】
Ｗｉ−Ｆｉアクセスポイントは、Ｍｏｂｉｌｅ  Ｗｉ−Ｆｉルーターや３Ｇ／４ＧＷＡＮカード等のモバイル無線ルーターであってよい。第１のＷｉ−Ｆｉネットワークは、オペレータによって提供されるＷｉ−Ｆｉネットワーク、別のＷｉ−Ｆｉアクセスポイントによって提供されるＷｉ−Ｆｉネットワーク等であってよい。Ｗｉ−ＦｉアクセスポイントがＷｉ−Ｆｉネットワーク範囲に移動する場合、または、オペレータの新しいＷｉ−ＦｉネットワークがＷｉ−Ｆｉアクセスポイントの位置する環境内で有効化された場合、Ｗｉ−Ｆｉアクセスポイント（例えばＭｏｂｉｌｅ  Ｗｉ−Ｆｉルーター）は、Ｍｏｂｉｌｅ  Ｗｉ−Ｆｉルーターの予め設定されたネットワークアクセス構成に従ってオペレータのＷｉ−Ｆｉネットワークにアクセスしてよい。
【００５１】
具体的には、Ｗｉ−Ｆｉアクセスポイントが第１のＷｉ−Ｆｉネットワークを発見するステップは、予め保存された第１のＷｉ−Ｆｉネットワークのネットワークアクセス構成を用いて、Ｗｉ−Ｆｉアクセスポイントが、第１のＷｉ−Ｆｉネットワークにアクセスするステップを有する。
【００５２】
Ｓ１０２．ユーザーイクイップメントがＷｉ−Ｆｉアクセスポイントによって確立された第２のＷｉ−Ｆｉネットワークにアクセスした後、Ｗｉ−Ｆｉアクセスポイントが、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定する。
【００５３】
ユーザーイクイップメントは、Ｗｉ−Ｆｉ機能を有するスマートフォンやポータブルコンピュータ等の、Ｗｉ−Ｆｉクライアント機能を有するデバイスであってよい。ユーザーイクイップメントは、Ｗｉ−Ｆｉ機能を用いてＷｉ−Ｆｉアクセスポイントに接続されてよく、或いは、ＵＳＢやＢｌｕｅｔｏｏｔｈ等の手段を用いてＷｉ−Ｆｉアクセスポイントに接続されてもよい。Ｗｉ−Ｆｉアクセスポイントは、オペレータの２Ｇ／３Ｇ／４Ｇネットワーク、オペレータのＷｉ−Ｆｉネットワーク、または別のＷｉ−Ｆｉアクセスポイントによって提供されるＷｉ−Ｆｉネットワークにアクセスする。このように、ユーザーイクイップメントは、Ｗｉ−Ｆｉアクセスポイントを利用して、オペレータの２Ｇ／３Ｇ／４ＧネットワークまたはＷｉ−Ｆｉネットワークに接続することができる。Ｗｉ−Ｆｉネットワークは、２．４ＧＨｚまたは５ＧＨｚの周波数帯域で動作してよい。
【００５４】
一般に、ユーザーイクイップメントとＷｉ−Ｆｉアクセスポイントとが共に移動するか、または、ユーザーイクイップメントが位置する環境において、オペレータの新しいＷｉ−Ｆｉネットワークが使用可能となる場合がある。ユーザーイクイップメントとＷｉ−Ｆｉアクセスポイントとが同時に移動して第１のＷｉ−Ｆｉネットワークに入る場合、または、新しい第１のＷｉ−Ｆｉネットワークが使用可能となる場合、Ｗｉ−Ｆｉアクセスポイントは、第１のＷｉ−Ｆｉネットワークにアクセスした後、Ｍｏｂｉｌｅ  Ｗｉ−Ｆｉルーターとユーザーイクイップメントとの間の通信品質と、Ｍｏｂｉｌｅ  Ｗｉ−Ｆｉルーターとオペレータネットワークとの間の通信品質とを別々に評価し、それからユーザーイクイップメントとオペレータネットワークとの間の通信品質を取得し、ユーザーイクイップメントとオペレータネットワークとの間の通信品質と、ユーザーイクイップメントおよびオペレータネットワークの機能構成とのうち少なくとも１つに従って、ユーザーイクイップメントが第１のＷｉ−Ｆｉネットワークに直接アクセスできるか否かを判定する。
【００５５】
第１のＷｉ−Ｆｉネットワークは、オペレータによって提供されるＷｉ−Ｆｉネットワーク、別のＷｉ−Ｆｉホットスポットによって提供されるＷｉ−Ｆｉネットワーク等であってよい。機能構成は、ユーザーイクイップメントおよび第１のＷｉ−Ｆｉネットワークのそれぞれの動作周波数帯域、動作モード等を含む。
【００５６】
ユーザーイクイップメントと第１のＷｉ−Ｆｉネットワークとの間の通信品質は、信号強度（Received  Signal  Strength  Indication、略称ＲＳＳＩ）、信号対雑音比（Signal/Noise、略称ＳＮＲ）、信号対干渉雑音比（Signal  to  Interference  plus  Noise  Ratio、略称ＳＩＮＲ）、パケット誤り率（Packet  Error  Rate、略称ＰＥＲ）等のうち少なくとも１つを含むパラメータを用いて評価されてよい。
【００５７】
具体的には、Ｗｉ−ＦｉアクセスポイントがＭｏｂｉｌｅ  Ｗｉ−Ｆｉルーターとユーザーイクイップメントとの間の通信品質と、Ｍｏｂｉｌｅ  Ｗｉ−Ｆｉルーターとオペレータネットワークとの間の通信品質とをそれぞれ評価し、ユーザーイクイップメントと第１のＷｉ−Ｆｉネットワークとの間の通信品質を取得するには、方法が２つある。すなわち、第１のＷｉ−ＦｉネットワークとＷｉ−Ｆｉアクセスポイントとの間の通信品質を検出し、第１のＷｉ−ＦｉネットワークとＷｉ−Ｆｉアクセスポイントとの間の通信品質に従って、ユーザーイクイップメントが第１のＷｉ−Ｆｉネットワークにアクセスできるか否かを判定するか、または、ユーザーイクイップメントとＷｉ−Ｆｉアクセスポイントとの間の通信品質に従って、且つ、第１のＷｉ−ＦｉネットワークとＷｉ−Ｆｉアクセスポイントとの間の通信品質に従って、第１のＷｉ−ＦｉネットワークとＷｉ−Ｆｉアクセスポイントとの間の通信品質を決定し、ユーザーイクイップメントが第１のＷｉ−Ｆｉネットワークにアクセスできるか否かを判定する。具体的には、ユーザーイクイップメントとＷｉ−Ｆｉアクセスポイントとが互いに比較的近接している場合、その接続の信号品質は比較的良好であり、第１のＷｉ−ＦｉネットワークとＷｉ−Ｆｉアクセスポイントとの間の通信パラメータのみが検出されてよい。すなわち、ＲＳＳＩ、ＤａｔａＲａｔｅ、ＰＥＲ、ＳＮＲおよびＳＩＮＲのうち１以上のパラメータが予め設定された条件を満たす場合、ユーザーイクイップメント（ＵＥ）とＷｉ−Ｆｉアクセスポイントとの間の通信品質が要件を満たすとみなされる。ユーザーイクイップメント（ＵＥ）とＷｉ−Ｆｉアクセスポイントとは一般に比較的短距離で互いに通信するので、更に、ＵＥと第１のＷｉ−Ｆｉネットワークとの通信品質が要件を満たすとみなされてよい。
【００５８】
加えて、ユーザーイクイップメント（ＵＥ）とＷｉ−Ｆｉアクセスポイントとの間の通信パラメータと、Ｗｉ−Ｆｉアクセスポイントと第１のＷｉ−Ｆｉネットワークとの間の通信パラメータとが別々に検出されて、ＵＥと第１のＷｉ−Ｆｉネットワークとの間の通信品質が評価されてもよい。上述の通信品質の全てが予め設定された条件を満たす場合、ＵＥと第１のＷｉ−Ｆｉネットワークとの通信品質が要件を満たすとみなされる。該方法は通信品質の判定においてより包括的で信頼性が高く、したがって、ユーザーイクイップメントが第１のＷｉ−Ｆｉネットワークにアクセスできるか否かを正確に判定することができる。
【００５９】
任意に、ユーザーイクイップメントが第１のＷｉ−Ｆｉネットワークにアクセスできるか否かが判定されるとき、まず、ユーザーイクイップメントおよび第１のＷｉ−Ｆｉネットワークの機能構成が要件を満たすか否かが判定されてよい。要件が満たされていない場合、ユーザーイクイップメントと第１のＷｉ−Ｆｉネットワークとの間の通信品質の検出または判定は実行される必要がない。要件が満たされている場合、ユーザーイクイップメントと第１のＷｉ−Ｆｉネットワークとの通信品質の検出および判定が更に実行される。
【００６０】
任意に、ユーザーイクイップメントが第１のＷｉ−Ｆｉネットワークにアクセスできるか否かが判定されるとき、まず、ユーザーイクイップメントと第１のＷｉ−Ｆｉネットワークとの間の通信品質が要件を満たすか否かが判定されてよい。要件が満たされていない場合、ユーザーイクイップメントおよび第１のＷｉ−Ｆｉネットワークの機能構成が要件を満たすか否かが判定される必要はない。要件が満たされている場合、ユーザーイクイップメントおよび第１のＷｉ−Ｆｉネットワークの機能構成の検出および判定が更に実行される。
【００６１】
任意に、ユーザーイクイップメントが第１のＷｉ−Ｆｉネットワークにアクセスできるか否かが判定されるとき、ユーザーイクイップメントおよび第１のＷｉ−Ｆｉネットワークの機能構成が要件を満たすか否かと、ユーザーイクイップメントと第１のＷｉ−Ｆｉネットワークとの間の通信品質が要件を満たすか否かとの両方が判定されてよい。両者が予め設定された条件を満たす場合、ユーザーイクイップメントが第１のＷｉ−Ｆｉネットワークにアクセスできるとみなされる。
【００６２】
Ｓ１０３．ユーザーイクイップメントが第１のＷｉ−Ｆｉネットワークに接続できるとＷｉ−Ｆｉアクセスポイントが判定した場合、Ｗｉ−Ｆｉアクセスポイントが、第１のＷｉ−Ｆｉネットワークのネットワークアクセス構成をユーザーイクイップメントに送信する。第１のＷｉ−Ｆｉネットワークのネットワークアクセス構成は、ユーザーイクイップメントが第１のＷｉ−Ｆｉネットワークにアクセスするために用いられる。
【００６３】
具体的には、ユーザーイクイップメントがオペレータの第１のＷｉ−ＦｉネットワークにアクセスできるとＷｉ−Ｆｉアクセスポイントが判定した後、Ｗｉ−Ｆｉアクセスポイントは、ユーザーイクイップメントがネットワークアクセス構成に従って直接的に第１のＷｉ−Ｆｉネットワークにアクセスできるように、第１のＷｉ−Ｆｉネットワークのネットワークアクセス構成（例えば、第１のＷｉ−Ｆｉネットワークのサービスセット識別子（Service  Set  Identifier、略称ＳＳＩＤ）、暗号化モード、パスワード等を含むＰｒｏｆｉｌｅファイル）をユーザーイクイップメントに送信する。Ｗｉ−Ｆｉアクセスポイントが第１のＷｉ−Ｆｉネットワークのネットワークアクセス構成を送信する前に、ネットワークアクセス構成は、第１のＷｉ−Ｆｉネットワークのネットワークアクセス構成が加持されないように、まず予め設定された鍵を用いて暗号化されてから、ユーザーイクイップメントへ送信されてよい。ユーザーイクイップメントは、Ｍｏｂｉｌｅ  Ｗｉ−Ｆｉルーターへの接続を利用して、Ｍｏｂｉｌｅ  Ｗｉ−Ｆｉルーターによって送信された第１のＷｉ−Ｆｉネットワークのネットワークアクセス構成（例えば、サービスセット識別子（ＳＳＩＤ）と、暗号化モードと、第１のＷｉ−Ｆｉネットワークのパスワードとを含むＰｒｏｆｉｌｅファイル）を受信する。ネットワークアクセス構成がＭｏｂｉｌｅ  Ｗｉ−Ｆｉルーターによって暗号化される場合、ユーザーイクイップメントは、予め取得される鍵を用いて情報を復号し、それにより、第１のＷｉ−Ｆｉネットワークのネットワークアクセス構成をセキュアに取得する。そして、暗号化モードやパスワード等の認証情報が、第１のＷｉ−Ｆｉネットワークのネットワークアクセス構成に含まれるサービスセット識別子（ＳＳＩＤ）に従って、第１のＷｉ−Ｆｉネットワークへ送信される。認証情報が正確であることをネットワークが確認した後、ユーザーイクイップメントは第１のＷｉ−Ｆｉネットワークにアクセスする。
【００６４】
具体的には、Ｗｉ−Ｆｉアクセスポイントが第１のＷｉ−Ｆｉネットワークのネットワークアクセス構成をユーザーイクイップメントに送信した後、本方法は更に、Ｗｉ−Ｆｉアクセスポイントが、ユーザーイクイップメントが第１のＷｉ−Ｆｉネットワークにアクセスしたか否かを問い合わせるか、または、Ｗｉ−Ｆｉアクセスポイントが、ユーザーイクイップメントによって報告されユーザーイクイップメントが第１のＷｉ−Ｆｉネットワークにアクセスしたことを示すイベントを受信するステップ、を有する。以下、２つの場合を別々に詳述する。Ｗｉ−Ｆｉアクセスポイントが、ユーザーイクイップメントが第１のＷｉ−Ｆｉネットワークにアクセスしたか否かを問い合わせるステップは、Ｐｉｎｇ操作を実行することによって判定されてよい。ユーザーイクイップメントが第１のＷｉ−Ｆｉネットワークにアクセスした場合、この場合Ｗｉ−Ｆｉアクセスポイントのアップリンクネットワーク側とユーザーイクイップメントとが同じネットワークセグメントに位置するので、すなわち、Ｐｉｎｇ操作の応答メッセージを無事に受信することができるので、Ｗｉ−Ｆｉアクセスポイントは、ユーザーイクイップメントが第１のＷｉ−Ｆｉネットワークにアクセスしたことを問い合わせることができる。または、Ｗｉ−Ｆｉアクセスポイントは、ユーザーイクイップメントによって報告されユーザーイクイップメントが第１のＷｉ−Ｆｉネットワークにアクセスしたことを示すイベントを受信する。すなわち、ユーザーイクイップメントは、ユーザーイクイップメントが第１のＷｉ−Ｆｉネットワークにアクセスしたことを報告するために、能動的にメッセージをＷｉ−Ｆｉアクセスポイントに送信する。
【００６５】
任意に、ユーザーイクイップメントが第１のＷｉ−Ｆｉネットワークにアクセスした場合、Ｗｉ−Ｆｉアクセスポイントがユーザーイクイップメントが第１のＷｉ−Ｆｉネットワークにアクセスしたか否かを問い合わせるか、または、Ｗｉ−Ｆｉアクセスポイントがユーザーイクイップメントによって報告されユーザーイクイップメントが第１のＷｉ−Ｆｉネットワークにアクセスしたことを示すイベントを受信するステップの後に、ユーザーイクイップメントへの接続を切断する操作であって、接続は第２のＷｉ−Ｆｉネットワークに基づく、操作と、第１のＷｉ−Ｆｉネットワークへの接続を切断する操作と、スリープモードに入る操作とのうち少なくとも１つが実行されてよい。例えば、Ｗｉ−Ｆｉアクセスポイントの接続が切断され、別のユーザーイクイップメントへの接続がないとき、Ｗｉ−Ｆｉアクセスポイントはスリープモードに入って、Ｗｉ−Ｆｉアクセスポイント自体のエネルギー消費を低減する。
【００６６】
ユーザーイクイップメントがネットワークアクセス構成情報に従って直接的に第１のＷｉ−Ｆｉネットワークにアクセスした後、ユーザーイクイップメントの移動等によりユーザーイクイップメントと第１のＷｉ−Ｆｉネットワークとの接続が切断された場合、ユーザーイクイップメントはＷｉ−Ｆｉアクセスポイントに再びアクセスしてよい。この場合、Ｗｉ−Ｆｉアクセスポイントが起動され、予め設定されたネットワークアクセス構成に従って、オペレータのＷｉ−Ｆｉネットワークにアクセスする。
【００６７】
本実施形態では、Ｗｉ−Ｆｉアクセスポイントは第１のＷｉ−Ｆｉネットワークを発見する。ユーザーイクイップメントがＷｉ−Ｆｉアクセスポイントにアクセスした後、Ｗｉ−Ｆｉアクセスポイントは、ユーザーイクイップメントとオペレータのネットワークとの間の通信品質と、ユーザーイクイップメントおよびオペレータネットワークの機能構成とのうち少なくとも１つに従って、ユーザーイクイップメントが第１のＷｉ−Ｆｉネットワークにアクセスできるか否かを判定する。ユーザーイクイップメントが第１のＷｉ−Ｆｉネットワークに接続できるとＷｉ−Ｆｉアクセスポイントが判定した場合、Ｗｉ−Ｆｉアクセスポイントは、第１のＷｉ−Ｆｉネットワークのネットワークアクセス構成をユーザーイクイップメントに送信する。このように、条件を満たすとき、ユーザーイクイップメントはＷｉ−Ｆｉアクセスポイントを利用することなく、第１のＷｉ−Ｆｉネットワークにアクセスすることができる。よって、複数のネットワークの連結によって生じるパフォーマンスの損失（例えば信号干渉による損失）が低減され、Ｗｉ−Ｆｉアクセスポイントの電力消費が低減され、Ｗｉ−Ｆｉアクセスポイントの帯域が節約される。
【００６８】
図３は、本発明の実施形態２に係る、ユーザーイクイップメントによりワイヤレス・フィディリティ（Ｗｉ−Ｆｉ）にアクセスする方法の概略フローチャートである。本実施形態は、ワイヤレス・フィディリティ（Ｗｉ−Ｆｉ）アクセスポイントが第２のＷｉ−Ｆｉネットワークおよび第３のＷｉ−Ｆｉネットワークを確立する実施シナリオに対応する。図３に示されるように、本実施形態において提供されるユーザーイクイップメントによりワイヤレス・フィディリティ（Ｗｉ−Ｆｉ）にアクセスする方法は、以下のステップを有する。
【００６９】
Ｓ３０１．ユーザーイクイップメントがＷｉ−Ｆｉアクセスポイントによって確立された第２のＷｉ−Ｆｉネットワークにアクセスした後、Ｗｉ−Ｆｉアクセスポイントは、予め設定された条件に従って、ユーザーイクイップメントが第３のＷｉ−Ｆｉネットワークにアクセスできるか否かを判定する。
【００７０】
ユーザーイクイップメントは、Ｗｉ−Ｆｉ機能を有するスマートフォンやポータブルコンピュータ等の、Ｗｉ−Ｆｉクライアント機能を有するデバイスであってよい。Ｗｉ−Ｆｉアクセスポイントは、Ｍｏｂｉｌｅ  Ｗｉ−Ｆｉルーター等のモバイル無線ルーターであってよい。ユーザーイクイップメントは、そのＷｉ−Ｆｉ機能を用いてＷｉ−Ｆｉアクセスポイントに接続してから、Ｗｉ−Ｆｉアクセスポイントによって確立された第２のＷｉ−Ｆｉネットワークにアクセスしてよい。
【００７１】
具体的には、Ｗｉ−Ｆｉアクセスポイントが予め設定された条件に従ってユーザーイクイップメントが第３のＷｉ−Ｆｉネットワークにアクセスできるか否かを判定するステップは、
Ｗｉ−Ｆｉアクセスポイントが、ユーザーイクイップメントとＷｉ−Ｆｉアクセスポイントとの接続の負荷状態と、ユーザーイクイップメントと第３のＷｉ−Ｆｉネットワークとの間の通信品質と、ユーザーイクイップメントおよび第３のＷｉ−Ｆｉネットワークの機能構成とのうち少なくとも１つに従って、ユーザーイクイップメントが第３のＷｉ−Ｆｉネットワークにアクセスできるか否かを判定するステップ、
を有する。
【００７２】
Ｗｉ−Ｆｉアクセスポイントは、１以上のＷｉ−Ｆｉネットワークを確立してよい。これらのＷｉ−Ｆｉネットワークは異なる機能構成とネットワークアクセス構成を有し、複数の異なるユーザーイクイップメントのアクセスを提供するのに用いられ、或いは、これらのＷｉ−Ｆｉネットワークにアクセスするユーザーイクイップメントをグループ化するのに用いられる。Ｗｉ−Ｆｉアクセスポイントが複数のアクセス可能なＷｉ−Ｆｉネットワークを有する場合、ユーザーイクイップメントが現在アクセスしているＷｉ−Ｆｉネットワークの通信負荷が比較的重いとき、ユーザーイクイップメントは、複数のアクセス可能なＷｉ−Ｆｉネットワークの負荷のバランスをとるために、ユーザーイクイップメントが現在アクセスしているＷｉ−Ｆｉネットワークから、Ｗｉ−Ｆｉアクセスポイントの別のアクセス可能なＷｉ−Ｆｉネットワークに移行してよい。具体的には、Ｗｉ−Ｆｉアクセスポイントは複数のアクセス可能なＷｉ−Ｆｉネットワーク、例えばＡＰ１およびＡＰ２を有する。異なるＷｉ−Ｆｉネットワークは、異なるユーザーサービスセット識別子（ＳＳＩＤ）を有する。ユーザーイクイップメントが現在アクセスしてるＷｉ−ＦｉアクセスポイントのＷｉ−ＦｉネットワークがＡＰ１である場合、ＡＰ１にアクセスするユーザーイクイップメントが多すぎるか、ＡＰ１において通信トラフィックが比較的大きいとき、Ｗｉ−Ｆｉアクセスポイントは、アクセスされているＷｉ−Ｆｉネットワークの通信負荷が比較的大きいと判定し、別のアクセス可能なＷｉ−Ｆｉネットワークの通信品質および機能構成に従って、１つの第２のＷｉ−ＦｉネットワークＡＰ２をユーザーイクイップメントのアクセスポイントとして選択してよい。
【００７３】
通信品質は、信号強度（ＲＳＳＩ）、信号対雑音比（ＳＮＲ）、信号対干渉雑音比（ＳＩＮＲ）、パケット誤り率（ＰＥＲ）等のうち少なくとも１つを含む。
【００７４】
機能構成は、ユーザーイクイップメントおよび第３のＷｉ−Ｆｉネットワークによってサポートされる周波数帯域と、ユーザーイクイップメントおよび第３のＷｉ−Ｆｉネットワークの動作モードとのうち少なくとも１つを含む。
【００７５】
ネットワークアクセス構成は、サービスセット識別子（ＳＳＩＤ）と、暗号化モードと、第３のＷｉ−Ｆｉネットワークのパスワードとのうち少なくとも１つを含む。
【００７６】
具体的には、ユーザーイクイップメントとＷｉ−Ｆｉアクセスポイントとの接続の負荷状態は、Ｗｉ−Ｆｉアクセスポイントによって確立されたＷｉ−Ｆｉネットワークにアクセスするユーザーイクイップメントの数、Ｗｉ−Ｆｉアクセスポイントによって確立されたＷｉ−Ｆｉネットワークのネットワークトラフィック状態等を含む。Ｗｉ−Ｆｉアクセスポイントによって確立されたＷｉ−Ｆｉネットワークが複数存在する場合、負荷状態は、複数のＷｉ−Ｆｉネットワークのそれぞれにアクセスするユーザーイクイップメントの数と、複数のＷｉ−Ｆｉネットワークのそれぞれのネットワークトラフィック状態である。
【００７７】
任意に、ユーザーイクイップメントが第３のＷｉ−Ｆｉネットワークにアクセスできるか否かが判定されるとき、まず、ユーザーイクイップメントとＷｉ−Ｆｉアクセスポイントとの接続の負荷状態が要件を満たすか否かが判定されてよい。要件が満たされていない場合、ユーザーイクイップメントおよび第３のＷｉ−Ｆｉネットワークの機能構成と、ユーザーイクイップメントと第３のＷｉ−Ｆｉネットワークとの間の通信品質とが要件を満たすか否かは、判定される必要がない。要件が満たされている場合、ユーザーイクイップメントおよび第３のＷｉ−Ｆｉネットワークの機能構成と、ユーザーイクイップメントと第３のＷｉ−Ｆｉネットワークとの間の通信品質との検出および判定が、更に実行される。
【００７８】
任意に、ユーザーイクイップメントが第３のＷｉ−Ｆｉネットワークにアクセスできるか否かが判定されるとき、まず、ユーザーイクイップメントおよび第３のＷｉ−Ｆｉネットワークの機能構成が要件を満たすか否かが判定されてよい。要件が満たされていない場合、ユーザーイクイップメントとＷｉ−Ｆｉアクセスポイントとの接続の負荷状態と、ユーザーイクイップメントと第３のＷｉ−Ｆｉネットワークとの間の通信品質との検出または判定が実行される必要はない。要件が満たされている場合、ユーザーイクイップメントとＷｉ−Ｆｉアクセスポイントとの接続の負荷状態と、ユーザーイクイップメントと第３のＷｉ−Ｆｉネットワークとの間の通信品質との検出および判定が、更に実行される。
【００７９】
任意に、ユーザーイクイップメントが第３のＷｉ−Ｆｉネットワークにアクセスできるか否かが判定されるとき、まず、ユーザーイクイップメントと第３のＷｉ−Ｆｉネットワークとの間の通信品質が要件を満たすか否かが判定されてよい。要件が満たされていない場合、ユーザーイクイップメントとＷｉ−Ｆｉアクセスポイントとの接続の負荷状態と、ユーザーイクイップメントおよび第３のＷｉ−Ｆｉネットワークの機能構成とが要件を満たすか否かは、判定される必要がない。要件が満たされている場合、ユーザーイクイップメントとＷｉ−Ｆｉアクセスポイントとの接続の負荷状態と、ユーザーイクイップメントおよび第３のＷｉ−Ｆｉネットワークの機能構成との検出および判定が、更に実行される。
【００８０】
任意に、ユーザーイクイップメントが第３のＷｉ−Ｆｉネットワークにアクセスできるか否かが判定されるとき、ユーザーイクイップメントとＷｉ−Ｆｉアクセスポイントとの接続の負荷状態と、ユーザーイクイップメントおよび第３のＷｉ−Ｆｉネットワークの機能構成と、ユーザーイクイップメントと第３のＷｉ−Ｆｉネットワークとの間の通信品質とのうち、いずれか２つまたは３つ全部が要件を満たすか否かが、同時に判定されてよい。いずれか２つまたは３つ全部が同時に予め設定された条件を満たす場合、ユーザーイクイップメントが第３のＷｉ−Ｆｉネットワークにアクセスできるとみなされてよい。
【００８１】
Ｓ３０２．ユーザーイクイップメントが第３のＷｉ−Ｆｉネットワークに接続できるとＷｉ−Ｆｉアクセスポイントが判定した場合、Ｗｉ−Ｆｉアクセスポイントが、第３のＷｉ−Ｆｉネットワークのネットワークアクセス構成をユーザーイクイップメントに送信する。第３のＷｉ−Ｆｉネットワークのネットワークアクセス構成は、ユーザーイクイップメントが第３のＷｉ−Ｆｉネットワークにアクセスするために用いられる。
【００８２】
具体的には、ユーザーイクイップメントが第３のＷｉ−Ｆｉネットワークに接続できるとＷｉ−Ｆｉアクセスポイントが判定した場合、Ｗｉ−Ｆｉアクセスポイントが、第３のＷｉ−Ｆｉネットワークのネットワークアクセス構成をユーザーイクイップメントに送信する。そして、ユーザーイクイップメントは、第３のＷｉ−Ｆｉネットワークのネットワークアクセス構成に含まれるサービスセット識別子（ＳＳＩＤ）および暗号化モードに従って、パスワード等の認証情報を第３のＷｉ−Ｆｉネットワークに送信し、認証情報が正確であると確認された後、第１のＷｉ−Ｆｉネットワークにアクセスする。
【００８３】
本実施形態では、Ｗｉ−Ｆｉアクセスポイントが第２のＷｉ−Ｆｉネットワークおよび第３のＷｉ−Ｆｉネットワークを確立する。ユーザーイクイップメントがＷｉ−Ｆｉアクセスポイントによって確立された第２のＷｉ−Ｆｉネットワークにアクセスした後、Ｗｉ−Ｆｉアクセスポイントは、予め設定された条件に従って、ユーザーイクイップメントが第３のＷｉ−Ｆｉネットワークにアクセスできるか否かを判定する。ユーザーイクイップメントが第３のＷｉ−Ｆｉネットワークに接続できるとＷｉ−Ｆｉアクセスポイントが判定した場合、Ｗｉ−Ｆｉアクセスポイントは、第３のＷｉ−Ｆｉネットワークのネットワークアクセス構成をユーザーイクイップメントに送信する。第３のＷｉ−Ｆｉネットワークのネットワークアクセス構成は、ユーザーイクイップメントが第３のＷｉ−Ｆｉネットワークにアクセスするために用いられる。このように、ユーザーイクイップメントは、もともとＷｉ−Ｆｉアクセスポイントに接続していたネットワークから別のＷｉ−Ｆｉネットワークに切り替わって、Ｗｉ−Ｆｉアクセスポイントに接続する。
【００８４】
図４は、本発明の実施形態３に係るＷｉ−Ｆｉアクセスポイントの概略構造図である。図４に示されるように、本実施形態において提供されるＷｉ−Ｆｉアクセスポイント４１は、以下の要素を有する。
アクセスモジュール４０１は、第１のＷｉ−Ｆｉネットワークを発見するように構成される。
判定モジュール４０２は、ユーザーイクイップメントがＷｉ−Ｆｉアクセスポイント４１によって確立された第３のＷｉ−Ｆｉネットワークにアクセスした後、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定するように構成される。
送信モジュール４０３は、ユーザーイクイップメントが第１のＷｉ−Ｆｉネットワークにアクセスできると判定モジュール４０２が判定した場合、記第１のＷｉ−Ｆｉネットワークのネットワークアクセス構成をユーザーイクイップメントに送信するように構成される。第１のＷｉ−Ｆｉネットワークのネットワークアクセス構成は、ユーザーイクイップメントが第１のＷｉ−Ｆｉネットワークにアクセスするために用いられる。
【００８５】
具体的には、アクセスモジュール４０１は、予め保存された第１のＷｉ−Ｆｉネットワークのネットワークアクセス構成を用いて、第１のＷｉ−Ｆｉネットワークにアクセスするように構成されてよい。
【００８６】
具体的には、第１のＷｉ−Ｆｉネットワークは、オペレータによって提供されるＷｉ−Ｆｉネットワークまたは別のＷｉ−Ｆｉアクセスポイントによって提供されるＷｉ−Ｆｉネットワークである。
【００８７】
具体的には、判定モジュール４０２は更に、送信モジュール４０３が第１のＷｉ−Ｆｉネットワークのネットワークアクセス構成をユーザーイクイップメントに送信した後、ユーザーイクイップメントが第１のＷｉ−Ｆｉネットワークにアクセスしたか否かを問い合わせるか、または、ユーザーイクイップメントによって報告されユーザーイクイップメントが第１のＷｉ−Ｆｉネットワークにアクセスしたことを示すイベントを受信するように構成されてよい。
【００８８】
送信モジュール４０３は、ユーザーイクイップメントへの接続を切断する工程であって、該接続は第２のＷｉ−Ｆｉネットワークに基づく工程と、第１のＷｉ−Ｆｉネットワークへの接続を切断する工程と、スリープモードに入る工程とのうち少なくとも１つを実行するように構成される。
【００８９】
具体的には、判定モジュール４０２は、
第１のＷｉ−ＦｉネットワークとＷｉ−Ｆｉアクセスポイントとの間の通信品質を検出し、第１のＷｉ−ＦｉネットワークとＷｉ−Ｆｉアクセスポイント４１との間の通信品質に従って、ユーザーイクイップメントが第１のＷｉ−Ｆｉネットワークにアクセスできるか否かを判定するように構成されるか、または、
ユーザーイクイップメントとＷｉ−Ｆｉアクセスポイント４１との間の通信品質に従って、且つ、第１のＷｉ−ＦｉネットワークとＷｉ−Ｆｉアクセスポイント４１との間の通信品質に従って、ユーザーイクイップメントが第１のＷｉ−Ｆｉネットワークにアクセスできるか否かを判定するように構成されてよい。
【００９０】
具体的には、通信品質は、信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【００９１】
具体的には、機能構成は、ユーザーイクイップメントおよび第２のＷｉ−Ｆｉネットワークによってサポートされる周波数帯域と、ユーザーイクイップメントおよび第２のＷｉ−Ｆｉネットワークの動作モードとのうち少なくとも１つを含む。
【００９２】
具体的には、ネットワークアクセス構成は、サービスセット識別子（ＳＳＩＤ）と、暗号化モードと、第１のＷｉ−Ｆｉネットワークのパスワードとを含む。
【００９３】
本実施形態において提供されるＷｉ−Ｆｉアクセスポイントがユーザーイクイップメントによりワイヤレス・フィディリティ（Ｗｉ−Ｆｉ）ネットワークにアクセスする方法を実行する具体的なプロセスについては、図２に示される方法実施形態の関連説明を参照されたい。ここでは詳細の説明を省略する。
【００９４】
本実施形態では、アクセスモジュールは、第１のＷｉ−Ｆｉネットワークを発見するように構成される。判定モジュールは、ユーザーイクイップメントがＷｉ−Ｆｉアクセスポイントにアクセスした後、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定するように構成される。処理モジュールは、ユーザーイクイップメントが第１のＷｉ−Ｆｉネットワークにアクセスできると判定モジュールが判定した場合、ユーザーイクイップメントがネットワークアクセス構成に従って第１のＷｉ−Ｆｉネットワークに直接アクセスできるように、第１のＷｉ−Ｆｉネットワークのネットワークアクセス構成をユーザーイクイップメントに送信するように構成される。このように、条件を満たすとき、ユーザーイクイップメントはＷｉ−Ｆｉアクセスポイントを利用することなく、第１のＷｉ−Ｆｉネットワークにアクセスすることができる。よって、複数のネットワークの連結によって生じるパフォーマンスの損失（例えば信号干渉による損失）が低減され、Ｗｉ−Ｆｉアクセスポイントの電力消費が低減され、Ｗｉ−Ｆｉアクセスポイントの帯域が節約される。
【００９５】
図５は、本発明の実施形態４に係るＷｉ−Ｆｉアクセスポイントの概略構造図である。図５に示されるように、本実施形態において提供されるＷｉ−Ｆｉアクセスポイント５１は、第２のＷｉ−Ｆｉネットワークおよび第３のＷｉ−Ｆｉネットワークを確立する。Ｗｉ−Ｆｉアクセスポイント５１は、以下の要素を有する。
判定モジュール５０１は、ユーザーイクイップメントがＷｉ−Ｆｉアクセスポイント５１によって確立された第２のＷｉ−Ｆｉネットワークにアクセスした後、予め設定された条件に従って、ユーザーイクイップメントが第３のＷｉ−Ｆｉネットワークにアクセスできるか否かを判定するように構成される。
送信モジュール５０２は、判定モジュールが予め設定された条件に従ってユーザーイクイップメントが第３のＷｉ−Ｆｉネットワークにアクセスできると判定した場合、第３のＷｉ−Ｆｉネットワークのネットワークアクセス構成をユーザーイクイップメントに送信するように構成される。第３のＷｉ−Ｆｉネットワークのネットワークアクセス構成は、ユーザーイクイップメントが第３のＷｉ−Ｆｉネットワークにアクセスするために用いられる。
【００９６】
具体的には、判定モジュール５０１は、ユーザーイクイップメントとＷｉ−Ｆｉアクセスポイント５１との接続の負荷状態と、ユーザーイクイップメントと第２のＷｉ−Ｆｉネットワークとの間の通信品質と、ユーザーイクイップメントおよび第２のＷｉ−Ｆｉネットワークの機能構成とのうち少なくとも１つに従って、ユーザーイクイップメントが第２のＷｉ−Ｆｉネットワークにアクセスできるか否かを判定するように構成されてよい。
【００９７】
具体的には、通信品質は、信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【００９８】
具体的には、機能構成は、ユーザーイクイップメントおよび第２のＷｉ−Ｆｉネットワークによってサポートされる周波数帯域と、ユーザーイクイップメントおよび第２のＷｉ−Ｆｉネットワークの動作モードとのうち少なくとも１つを含む。
【００９９】
本実施形態において提供されるＷｉ−Ｆｉアクセスポイントがユーザーイクイップメントによりワイヤレス・フィディリティ（Ｗｉ−Ｆｉ）ネットワークにアクセスする方法を実行する具体的なプロセスについては、図３に示される方法実施形態の関連の説明を参照されたい。ここでは詳細の説明を省略する。
【０１００】
本実施形態では、Ｗｉ−Ｆｉアクセスポイントが第２のＷｉ−Ｆｉネットワークおよび第３のＷｉ−Ｆｉネットワークを確立する。Ｗｉ−Ｆｉアクセスポイントの判定モジュールは、ユーザーイクイップメントがＷｉ−Ｆｉアクセスポイントによって確立された第２のＷｉ−Ｆｉネットワークにアクセスした後、予め設定された条件に従って、ユーザーイクイップメントが第３のＷｉ−Ｆｉネットワークにアクセスできるか否かを判定するように構成される。送信モジュールは、ユーザーイクイップメントが第３のＷｉ−Ｆｉネットワークにアクセスできると判定モジュールが判定した場合、第３のＷｉ−Ｆｉネットワークのネットワークアクセス構成をユーザーイクイップメントに送信するように構成される。第３のＷｉ−Ｆｉネットワークのネットワークアクセス構成は、ユーザーイクイップメントが第３のＷｉ−Ｆｉネットワークにアクセスするために用いられる。このように、ユーザーイクイップメントは、もともとＷｉ−Ｆｉアクセスポイントに接続していたネットワークから別のＷｉ−Ｆｉネットワークに切り替わって、Ｗｉ−Ｆｉアクセスポイントに接続する。
【０１０１】
図６は、本発明の実施形態５に係るＷｉ−Ｆｉアクセスポイントの概略構造図である。図６に示されるように、本実施形態において提供されるＷｉ−Ｆｉアクセスポイント６１は、以下の要素を有する。
プロセッサ６０１は、第１のＷｉ−Ｆｉネットワークを発見し、ユーザーイクイップメントがＷｉ−Ｆｉアクセスポイント７１によって確立された第３のＷｉ−Ｆｉネットワークにアクセスした後、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定するように構成される。
送信部６０２は、ユーザーイクイップメントが第１のＷｉ−Ｆｉネットワークにアクセスできるとプロセッサ６０１が判定した場合、第１のＷｉ−Ｆｉネットワークのネットワークアクセス構成をユーザーイクイップメントに送信するように構成される。第１のＷｉ−Ｆｉネットワークのネットワークアクセス構成は、ユーザーイクイップメントが第１のＷｉ−Ｆｉネットワークにアクセスするために用いられる。
【０１０２】
具体的には、プロセッサ６０１は、予め保存された第１のＷｉ−Ｆｉネットワークのネットワークアクセス構成を用いて、第１のＷｉ−Ｆｉネットワークにアクセスするように構成されてよい。
【０１０３】
具体的には、第１のＷｉ−Ｆｉネットワークは、オペレータによって提供されるＷｉ−Ｆｉネットワークまたは別のＷｉ−Ｆｉアクセスポイントによって提供されるＷｉ−Ｆｉネットワークである。
【０１０４】
具体的には、プロセッサ６０１は更に、送信部６０２が第１のＷｉ−Ｆｉネットワークのネットワークアクセス構成をユーザーイクイップメントに送信した後、ユーザーイクイップメントが第１のＷｉ−Ｆｉネットワークにアクセスしたか否かを問い合わせるか、または、ユーザーイクイップメントによって報告されユーザーイクイップメントが第１のＷｉ−Ｆｉネットワークにアクセスしたことを示すイベントを受信するように構成されてよい。
【０１０５】
送信部６０２は、ユーザーイクイップメントへの接続を切断する工程であって、接続は第２のＷｉ−Ｆｉネットワークに基づく、工程と、第１のＷｉ−Ｆｉネットワークへの接続を切断する工程と、スリープモードに入る工程とのうち少なくとも１つを実行するように構成される。
【０１０６】
具体的には、プロセッサ６０１は、
第１のＷｉ−ＦｉネットワークとＷｉ−Ｆｉアクセスポイントとの間の通信品質を検出し、第１のＷｉ−ＦｉネットワークとＷｉ−Ｆｉアクセスポイント６１との間の通信品質に従って、ユーザーイクイップメントが第１のＷｉ−Ｆｉネットワークにアクセスできるか否かを判定するように構成されるか、または、
ユーザーイクイップメントとＷｉ−Ｆｉアクセスポイント６１との間の通信品質に従って、且つ、第１のＷｉ−ＦｉネットワークとＷｉ−Ｆｉアクセスポイント６１との間の通信品質に従って、ユーザーイクイップメントが第１のＷｉ−Ｆｉネットワークにアクセスできるか否かを判定するように構成されてよい。
【０１０７】
具体的には、通信品質は、信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【０１０８】
具体的には、機能構成は、ユーザーイクイップメントおよび第２のＷｉ−Ｆｉネットワークによってサポートされる周波数帯域と、ユーザーイクイップメントおよび第２のＷｉ−Ｆｉネットワークの動作モードとのうち少なくとも１つを含む。
【０１０９】
具体的には、ネットワークアクセス構成は、サービスセット識別子（ＳＳＩＤ）と、暗号化モードと、第１のＷｉ−Ｆｉネットワークのパスワードとを含む。
【０１１０】
本実施形態において提供されるＷｉ−Ｆｉアクセスポイントがユーザーイクイップメントによりワイヤレス・フィディリティ（Ｗｉ−Ｆｉ）ネットワークにアクセスする方法を実行する具体的なプロセスについては、図２に示される方法実施形態の関連の説明を参照されたい。ここでは詳細の説明を省略する。
【０１１１】
本実施形態では、プロセッサは、第１のＷｉ−Ｆｉネットワークを発見し、ユーザーイクイップメントがＷｉ−Ｆｉアクセスポイントにアクセスした後、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定するように構成される。送信部は、ユーザーイクイップメントが第１のＷｉ−Ｆｉネットワークにアクセスできるとプロセッサが判定した場合、ユーザーイクイップメントがネットワークアクセス構成に従って第１のＷｉ−Ｆｉネットワークに直接アクセスできるように、第１のＷｉ−Ｆｉネットワークのネットワークアクセス構成をユーザーイクイップメントに送信するように構成される。このように、条件を満たすとき、ユーザーイクイップメントはＷｉ−Ｆｉアクセスポイントを利用することなく、第１のＷｉ−Ｆｉネットワークにアクセスすることができる。よって、複数のネットワークの連結によって生じるパフォーマンスの損失（例えば信号干渉による損失）が低減され、Ｗｉ−Ｆｉアクセスポイントの電力消費が低減され、Ｗｉ−Ｆｉアクセスポイントの帯域が節約される。
【０１１２】
図７は、本発明の実施形態６に係るＷｉ−Ｆｉアクセスポイントの概略構造図である。図７に示されるように、本実施形態において提供されるＷｉ−Ｆｉアクセスポイント７１は、第２のＷｉ−Ｆｉネットワークおよび第３のＷｉ−Ｆｉネットワークを確立する。Ｗｉ−Ｆｉアクセスポイント７１は、以下の要素を有する。
プロセッサ７０１は、ユーザーイクイップメントがＷｉ−Ｆｉアクセスポイント７１によって確立された第２のＷｉ−Ｆｉネットワークにアクセスした後、予め設定された条件に従って、ユーザーイクイップメントが第３のＷｉ−Ｆｉネットワークにアクセスできるか否かを判定するように構成される。
送信部７０２は、ユーザーイクイップメントが第３のＷｉ−Ｆｉネットワークにアクセスできるとプロセッサ７０１が判定した場合、第３のＷｉ−Ｆｉネットワークのネットワークアクセス構成をユーザーイクイップメントに送信するように構成される。第３のＷｉ−Ｆｉネットワークのネットワークアクセス構成は、ユーザーイクイップメントが第３のＷｉ−Ｆｉネットワークにアクセスするために用いられる。
【０１１３】
具体的には、プロセッサ７０１は、ユーザーイクイップメントとＷｉ−Ｆｉアクセスポイント８１との接続の負荷状態と、ユーザーイクイップメントと第２のＷｉ−Ｆｉネットワークとの間の通信品質と、ユーザーイクイップメントおよび第２のＷｉ−Ｆｉネットワークの機能構成とのうち少なくとも１つに従って、ユーザーイクイップメントが第２のＷｉ−Ｆｉネットワークにアクセスできるか否かを判定するように構成されてよい。
【０１１４】
具体的には、通信品質は、信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【０１１５】
具体的には、機能構成は、ユーザーイクイップメントおよび第２のＷｉ−Ｆｉネットワークによってサポートされる周波数帯域と、ユーザーイクイップメントおよび第２のＷｉ−Ｆｉネットワークの動作モードとのうち少なくとも１つを含む。
【０１１６】
本実施形態において提供されるＷｉ−Ｆｉアクセスポイントがユーザーイクイップメントによりワイヤレス・フィディリティ（Ｗｉ−Ｆｉ）ネットワークにアクセスする方法を実行する具体的なプロセスについては、図３に示される方法実施形態の関連の説明を参照されたい。ここでは詳細の説明を省略する。
【０１１７】
本実施形態では、Ｗｉ−Ｆｉアクセスポイントが第２のＷｉ−Ｆｉネットワークおよび第３のＷｉ−Ｆｉネットワークを確立する。Ｗｉ−Ｆｉアクセスポイントのプロセッサは、ユーザーイクイップメントがＷｉ−Ｆｉアクセスポイントによって確立された第２のＷｉ−Ｆｉネットワークにアクセスした後、予め設定された条件に従って、ユーザーイクイップメントが第３のＷｉ−Ｆｉネットワークにアクセスできるか否かを判定するように構成される。送信部は、ユーザーイクイップメントが第３のＷｉ−Ｆｉネットワークにアクセスできるとプロセッサが判定した場合、第３のＷｉ−Ｆｉネットワークのネットワークアクセス構成をユーザーイクイップメントに送信するように構成される。第３のＷｉ−Ｆｉネットワークのネットワークアクセス構成は、ユーザーイクイップメントが第３のＷｉ−Ｆｉネットワークにアクセスするために用いられる。このように、ユーザーイクイップメントは、もともとＷｉ−Ｆｉアクセスポイントに接続していたネットワークから別のＷｉ−Ｆｉネットワークに切り替わって、Ｗｉ−Ｆｉアクセスポイントに接続する。
【０１１８】
当業者であれば理解できるように、実施形態において提供される端末のモジュールまたはエンティティは、実施形態の説明に従って分散して端末に配置されてよく、実施形態に記載の装置とは異なる１以上の装置に配置されてもよい。上述の実施形態におけるモジュールまたはエンティティは、１つのモジュールまたはエンティティとして組み合わされてよく、複数のサブモジュールまたはエンティティに分割されてもよい。
【０１１９】
当業者であれば、方法実施形態のステップの全部または一部がプログラム命令関連ハードウェアによって実現されてよいことが理解できるであろう。プログラムは、コンピューター可読の記憶媒体に保存されてよい。プログラムが作動すると、方法実施形態が実行される。上述の記憶媒体の例として、ＲＯＭ、ＲＡＭ、磁気ディスク、光ディスク等の、プログラムコードを保存可能な媒体が挙げられる。
【０１２０】
最後に、留意すべきこととして、上述の実施形態は本発明の技術的構成を説明することを意図するものに過ぎず、本発明の限定を意図するものではない。上述の実施形態を参照して本発明を詳細に説明したが、当業者であれば、本発明の実施形態の技術的構成の範囲から逸脱することなく、上述の実施形態に記載の技術的構成に変更を行えること、或いは、それらの技術的特徴の一部または全部に均等置換を行えることが理解できるであろう。
【図１】
2016533683.tif 000003
【図２】
2016533683.tif 000004
【図３】
2016533683.tif 000005
【図４】
2016533683.tif 000006
【図５】
2016533683.tif 000007
【図６】
2016533683.tif 000008
【図７】
2016533683.tif 000009
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
ユーザーイクイップメントによりワイヤレス・フィディリティ（Ｗｉ−Ｆｉ）ネットワークにアクセスする方法であって、
Ｗｉ−Ｆｉアクセスポイントが、第１のＷｉ−Ｆｉネットワークを発見するステップと、
ユーザーイクイップメントが前記Ｗｉ−Ｆｉアクセスポイントによって確立された第２のＷｉ−Ｆｉネットワークにアクセスした後、前記Ｗｉ−Ｆｉアクセスポイントが、前記ユーザーイクイップメントと前記第１のＷｉ−Ｆｉネットワークとの間の通信品質と、前記ユーザーイクイップメントおよび前記第１のＷｉ−Ｆｉネットワークの機能構成とのうち少なくとも１つに従って、前記ユーザーイクイップメントが前記第１のＷｉ−Ｆｉネットワークにアクセスできるか否かを判定するステップと、
前記ユーザーイクイップメントが前記第１のＷｉ−Ｆｉネットワークに接続できると前記Ｗｉ−Ｆｉアクセスポイントが判定した場合、前記Ｗｉ−Ｆｉアクセスポイントが、前記第１のＷｉ−Ｆｉネットワークのネットワークアクセス構成を前記ユーザーイクイップメントに送信するステップであって、前記第１のＷｉ−Ｆｉネットワークの前記ネットワークアクセス構成は前記ユーザーイクイップメントが前記第１のＷｉ−Ｆｉネットワークにアクセスするために用いられる、ステップと、
を有する方法。
【請求項２】
Ｗｉ−Ｆｉアクセスポイントが第１のＷｉ−Ｆｉネットワークを発見する前記ステップは、
前記Ｗｉ−Ｆｉアクセスポイントが、予め保存された前記第１のＷｉ−Ｆｉネットワークのネットワークアクセス構成を用いて、前記第１のＷｉ−Ｆｉネットワークにアクセスするステップ、
を有する、請求項１に記載の方法。
【請求項３】
前記第１のＷｉ−Ｆｉネットワークは、オペレータによって提供されるＷｉ−Ｆｉネットワークまたは別のＷｉ−Ｆｉアクセスポイントによって提供されるＷｉ−Ｆｉネットワークである、
請求項１または２に記載の方法。
【請求項４】
前記Ｗｉ−Ｆｉアクセスポイントが前記第１のＷｉ−Ｆｉネットワークのネットワークアクセス構成を前記ユーザーイクイップメントに送信する前記ステップの後に、
前記Ｗｉ−Ｆｉアクセスポイントが、前記ユーザーイクイップメントが前記第１のＷｉ−Ｆｉネットワークにアクセスしたか否かを問い合わせるか、または、前記Ｗｉ−Ｆｉアクセスポイントが、前記ユーザーイクイップメントによって報告され前記ユーザーイクイップメントが前記第１のＷｉ−Ｆｉネットワークにアクセスしたことを示すイベントを受信するステップと、
前記Ｗｉ−Ｆｉアクセスポイントが、前記ユーザーイクイップメントへの接続を切断する工程であって、前記接続は前記第２のＷｉ−Ｆｉネットワークに基づく工程と、前記第１のＷｉ−Ｆｉネットワークへの接続を切断する工程と、スリープモードに入る工程とのうち少なくとも１つを実行するステップと、
を更に有する、請求項１乃至３のいずれか一項に記載の方法。
【請求項５】
前記Ｗｉ−Ｆｉアクセスポイントが前記ユーザーイクイップメントと前記第１のＷｉ−Ｆｉネットワークとの間の前記通信品質に従って前記ユーザーイクイップメントが前記第１のＷｉ−Ｆｉネットワークにアクセスできるか否かを判定する前記ステップは、特に、
前記第１のＷｉ−Ｆｉネットワークと前記Ｗｉ−Ｆｉアクセスポイントとの間の通信品質を検出し、前記第１のＷｉ−Ｆｉネットワークと前記Ｗｉ−Ｆｉアクセスポイントとの間の通信品質に従って、前記ユーザーイクイップメントが前記第１のＷｉ−Ｆｉネットワークにアクセスできるか否かを判定するステップ、または、
前記ユーザーイクイップメントと前記Ｗｉ−Ｆｉアクセスポイントとの間の通信品質に従って、且つ、前記第１のＷｉ−Ｆｉネットワークと前記Ｗｉ−Ｆｉアクセスポイントとの間の通信品質に従って、前記ユーザーイクイップメントと前記第１のＷｉ−Ｆｉネットワークとの間の前記通信品質を決定し、前記ユーザーイクイップメントが前記第１のＷｉ−Ｆｉネットワークにアクセスできるか否かを判定するステップ、
を有する、請求項１乃至４のいずれか一項に記載の方法。
【請求項６】
前記通信品質は、受信信号強度（ＲＳＳＩ）、信号対雑音比（ＳＮＲ）、信号対干渉雑音比（ＳＩＮＲ）およびパケット誤り率（ＰＥＲ）のうち少なくとも１つを含む、
請求項１乃至５のいずれか一項に記載の方法。
【請求項７】
前記機能構成は、前記ユーザーイクイップメントおよび前記第１のＷｉ−Ｆｉネットワークによってサポートされる周波数帯域と、前記ユーザーイクイップメントおよび前記第１のＷｉ−Ｆｉネットワークの動作モードとのうち少なくとも１つを含む、
請求項１乃至６のいずれか一項に記載の方法。
【請求項８】
前記ネットワークアクセス構成は、サービスセット識別子（ＳＳＩＤ）と、暗号化モードと、前記第１のＷｉ−Ｆｉネットワークのパスワードとのうち少なくとも１つを含む、
請求項１乃至７のいずれか一項に記載の方法。
【請求項９】
ユーザーイクイップメントによりワイヤレス・フィディリティ（Ｗｉ−Ｆｉ）ネットワークにアクセスする方法であって、Ｗｉ−Ｆｉアクセスポイントが第２のＷｉ−Ｆｉネットワークおよび第３のＷｉ−Ｆｉネットワークを確立し、
ユーザーイクイップメントが前記Ｗｉ−Ｆｉアクセスポイントによって確立された前記第２のＷｉ−Ｆｉネットワークにアクセスした後、前記Ｗｉ−Ｆｉアクセスポイントが、予め設定された条件に従って、前記ユーザーイクイップメントが前記第３のＷｉ−Ｆｉネットワークにアクセスできるか否かを判定するステップと、
前記ユーザーイクイップメントが前記第３のＷｉ−Ｆｉネットワークに接続できると前記Ｗｉ−Ｆｉアクセスポイントが判定した場合、前記Ｗｉ−Ｆｉアクセスポイントが、前記第３のＷｉ−Ｆｉネットワークのネットワークアクセス構成を前記ユーザーイクイップメントに送信するステップであって、前記第３のＷｉ−Ｆｉネットワークの前記ネットワークアクセス構成は前記ユーザーイクイップメントが前記第３のＷｉ−Ｆｉネットワークにアクセスするために用いられる、ステップと、
を有する方法。
【請求項１０】
前記Ｗｉ−Ｆｉアクセスポイントが予め設定された条件に従って前記ユーザーイクイップメントが前記第３のＷｉ−Ｆｉネットワークにアクセスできるか否かを判定する前記ステップは、特に、
前記Ｗｉ−Ｆｉアクセスポイントが、前記ユーザーイクイップメントと前記Ｗｉ−Ｆｉアクセスポイントとの接続の負荷状態と、前記ユーザーイクイップメントと前記第３のＷｉ−Ｆｉネットワークとの間の通信品質と、前記ユーザーイクイップメントおよび前記第３のＷｉ−Ｆｉネットワークの機能構成とのうち少なくとも１つに従って、前記ユーザーイクイップメントが前記第３のＷｉ−Ｆｉネットワークにアクセスできるか否かを判定するステップ、
を有する、請求項９に記載の方法。
【請求項１１】
前記通信品質は、受信信号強度（ＲＳＳＩ）、信号対雑音比（ＳＮＲ）、信号対干渉雑音比（ＳＩＮＲ）およびパケット誤り率（ＰＥＲ）のうち少なくとも１つを含む、
請求項１０に記載の方法。
【請求項１２】
前記機能構成は、前記ユーザーイクイップメントおよび前記第３のＷｉ−Ｆｉネットワークによってサポートされる周波数帯域と、前記ユーザーイクイップメントおよび前記第３のＷｉ−Ｆｉネットワークの動作モードとのうち少なくとも１つを含む、
請求項１０または１１に記載の方法。
【請求項１３】
前記ネットワークアクセス構成は、サービスセット識別子（ＳＳＩＤ）と、暗号化モードと、前記第３のＷｉ−Ｆｉネットワークのパスワードとのうち少なくとも１つを含む、
請求項９乃至１２のいずれか一項に記載の方法。
【請求項１４】
Ｗｉ−Ｆｉアクセスポイントであって、
第１のＷｉ−Ｆｉネットワークを発見するように構成されるアクセスモジュールと、
ユーザーイクイップメントが前記Ｗｉ−Ｆｉアクセスポイントによって確立された第２のＷｉ−Ｆｉネットワークにアクセスした後に、前記ユーザーイクイップメントと前記第１のＷｉ−Ｆｉネットワークとの間の通信品質と、前記ユーザーイクイップメントおよび前記第１のＷｉ−Ｆｉネットワークの機能構成とのうち少なくとも１つに従って、前記ユーザーイクイップメントが前記第１のＷｉ−Ｆｉネットワークにアクセスできるか否かをように構成される判定モジュールと、
前記ユーザーイクイップメントが前記第１のＷｉ−Ｆｉネットワークにアクセスできると前記判定モジュールが判定した場合、前記第１のＷｉ−Ｆｉネットワークのネットワークアクセス構成を前記ユーザーイクイップメントに送信するように構成される送信モジュールであって、前記第１のＷｉ−Ｆｉネットワークの前記ネットワークアクセス構成は前記ユーザーイクイップメントが前記第１のＷｉ−Ｆｉネットワークにアクセスするために用いられる、送信モジュールと、
を備えるＷｉ−Ｆｉアクセスポイント。
【請求項１５】
前記アクセスモジュールは、
予め保存された前記第１のＷｉ−Ｆｉネットワークのネットワークアクセス構成を用いて、前記第１のＷｉ−Ｆｉネットワークにアクセスするように構成される、
請求項１４に記載のＷｉ−Ｆｉアクセスポイント。
【請求項１６】
前記第１のＷｉ−Ｆｉネットワークは、オペレータによって提供されるＷｉ−Ｆｉネットワークまたは別のＷｉ−Ｆｉアクセスポイントによって提供されるＷｉ−Ｆｉネットワークである、
請求項１４または１５に記載のＷｉ−Ｆｉアクセスポイント。
【請求項１７】
前記判定モジュールは更に、前記送信モジュールが前記第１のＷｉ−Ｆｉネットワークの前記ネットワークアクセス構成を前記ユーザーイクイップメントに送信した後、前記ユーザーイクイップメントが前記第１のＷｉ−Ｆｉネットワークにアクセスしたか否かを問い合わせるか、または、前記ユーザーイクイップメントによって報告され前記ユーザーイクイップメントが前記第１のＷｉ−Ｆｉネットワークにアクセスしたことを示すイベントを受信するように構成され、
前記送信モジュールは、前記ユーザーイクイップメントへの接続を切断する工程であって、前記接続は前記第２のＷｉ−Ｆｉネットワークに基づく工程と、前記第１のＷｉ−Ｆｉネットワークへの接続を切断する工程と、スリープモードに入る工程とのうち少なくとも１つを実行するように構成される、
請求項１４乃至１６のいずれか一項に記載のＷｉ−Ｆｉアクセスポイント。
【請求項１８】
前記判定モジュールは特に、
前記第１のＷｉ−Ｆｉネットワークと前記Ｗｉ−Ｆｉアクセスポイントとの間の通信品質を検出し、前記第１のＷｉ−Ｆｉネットワークと前記Ｗｉ−Ｆｉアクセスポイントとの間の通信品質に従って、前記ユーザーイクイップメントが前記第１のＷｉ−Ｆｉネットワークにアクセスできるか否かを判定するように構成されるか、または、
前記ユーザーイクイップメントと前記Ｗｉ−Ｆｉアクセスポイントとの間の通信品質に従って、且つ、前記第１のＷｉ−Ｆｉネットワークと前記Ｗｉ−Ｆｉアクセスポイントとの間の通信品質に従って、前記ユーザーイクイップメントと前記第１のＷｉ−Ｆｉネットワークとの間の前記通信品質を決定し、且つ、前記ユーザーイクイップメントが前記第１のＷｉ−Ｆｉネットワークにアクセスできるか否かを判定するように構成される、
請求項１４乃至１７に記載のＷｉ−Ｆｉアクセスポイント。
【請求項１９】
前記通信品質は、受信信号強度（ＲＳＳＩ）、信号対雑音比（ＳＮＲ）、信号対干渉雑音比（ＳＩＮＲ）およびパケット誤り率（ＰＥＲ）のうち少なくとも１つを含む、
請求項１４乃至１８のいずれか一項に記載のＷｉ−Ｆｉアクセスポイント。
【請求項２０】
前記機能構成は、前記ユーザーイクイップメントおよび前記第１のＷｉ−Ｆｉネットワークによってサポートされる周波数帯域と、前記ユーザーイクイップメントおよび前記第１のＷｉ−Ｆｉネットワークの動作モードとのうち少なくとも１つを含む、
請求項１４乃至１９のいずれか一項に記載のＷｉ−Ｆｉアクセスポイント。
【請求項２１】
前記ネットワークアクセス構成は、サービスセット識別子（ＳＳＩＤ）と、暗号化モードと、前記第１のＷｉ−Ｆｉネットワークのパスワードとのうち少なくとも１つを含む、
請求項１４乃至２０のいずれか一項に記載のＷｉ−Ｆｉアクセスポイント。
【請求項２２】
Ｗｉ−Ｆｉアクセスポイントであって、前記Ｗｉ−Ｆｉアクセスポイントは第２のＷｉ−Ｆｉネットワークおよび第３のＷｉ−Ｆｉネットワークを確立し、
ユーザーイクイップメントが前記Ｗｉ−Ｆｉアクセスポイントによって確立された前記第２のＷｉ−Ｆｉネットワークにアクセスした後、予め設定された条件に従って、前記ユーザーイクイップメントが前記第３のＷｉ−Ｆｉネットワークにアクセスできるか否かを判定するように構成される判定モジュールと
前記ユーザーイクイップメントが前記第３のＷｉ−Ｆｉネットワークにアクセスできると前記判定モジュールが判定した場合、前記第３のＷｉ−Ｆｉネットワークのネットワークアクセス構成を前記ユーザーイクイップメントに送信するように構成される送信モジュールであって、前記第３のＷｉ−Ｆｉネットワークの前記ネットワークアクセス構成は前記ユーザーイクイップメントが前記第３のＷｉ−Ｆｉネットワークにアクセスするために用いられる、送信モジュールと、
を備えるＷｉ−Ｆｉアクセスポイント。
【請求項２３】
前記判定モジュールは特に、
前記ユーザーイクイップメントと前記Ｗｉ−Ｆｉアクセスポイントとの接続の負荷状態と、前記ユーザーイクイップメントと前記第３のＷｉ−Ｆｉネットワークとの間の通信品質と、前記ユーザーイクイップメントおよび前記第３のＷｉ−Ｆｉネットワークの機能構成とのうち少なくとも１つに従って、前記ユーザーイクイップメントが前記第３のＷｉ−Ｆｉネットワークにアクセスできるか否かを判定するように構成される、
請求項２２に記載のＷｉ−Ｆｉアクセスポイント。
【請求項２４】
前記通信品質は、受信信号強度（ＲＳＳＩ）、信号対雑音比（ＳＮＲ）、信号対干渉雑音比（ＳＩＮＲ）およびパケット誤り率（ＰＥＲ）のうち少なくとも１つを含む、
請求項２３に記載のＷｉ−Ｆｉアクセスポイント。
【請求項２５】
前記機能構成は、前記ユーザーイクイップメントおよび前記第３のＷｉ−Ｆｉネットワークによってサポートされる周波数帯域と、前記ユーザーイクイップメントおよび前記第１のＷｉ−Ｆｉネットワークの動作モードとのうち少なくとも１つを含む、
請求項２３または２４に記載のＷｉ−Ｆｉアクセスポイント。
【請求項２６】
前記ネットワークアクセス構成は、サービスセット識別子（ＳＳＩＤ）と、暗号化モードと、前記第３のＷｉ−Ｆｉネットワークのパスワードとのうち少なくとも１つを含む、
請求項２２乃至２５のいずれか一項に記載のＷｉ−Ｆｉアクセスポイント。
【手続補正２】
【補正対象書類名】明細書
【補正対象項目名】全文
【補正方法】変更
【補正の内容】
【発明の詳細な説明】
【技術分野】
【０００１】
本発明の実施形態は通信技術に関し、特に、ユーザーイクイップメントによりワイヤレス・フィディリティ（Ｗｉ−Ｆｉ）にアクセスする方法およびＷｉ−Ｆｉアクセスポイントに関する。
【背景技術】
【０００２】
ワイヤレス・フィディリティ（Wireless-Fidelity、略称Ｗｉ−Ｆｉ）技術の継続的な発展に伴い、新しいタイプの無線ルーターすなわちモバイル・ワイヤレス・フィディリティ（Mobile  Wireless  Fidelity、略称Ｍｏｂｉｌｅ  Ｗｉ−Ｆｉ）ルーターが内蔵バッテリ、小さいサイズおよび高い携帯性を理由に市場で人気を集めている。図１は、既存のＭｏｂｉｌｅ  Ｗｉ−Ｆｉルーターのシステム原理図である。図１に示されるように、ダウンリンク方向では、別のデバイスがＷｉ−Ｆｉネットワークにアクセスできるように、Ｍｏｂｉｌｅ  Ｗｉ−ＦｉルーターはＷｉ−Ｆｉネットワークを確立するＷｉ−Ｆｉアクセスポイントとして用いることができる。別のデバイスがＷｉ−Ｆｉアクセスポイントにアクセスできるように、ＵＳＢインターフェース、Ｂｌｕｅｔｏｏｔｈインターフェース等をＷｉ−Ｆｉアクセスポイントに構成することができる。アップリンク方向では、Ｍｏｂｉｌｅ  Ｗｉ−Ｆｉルーターは加入者識別モジュールカードを用いて３Ｇ／４Ｇネットワークにアクセスすることができ、それによってＩｎｔｅｒｎｅｔにアクセスする。Ｍｏｂｉｌｅ  Ｗｉ−Ｆｉルーターは更に、Ｍｏｂｉｌｅ  Ｗｉ−Ｆｉルーターが位置する環境内の別のＷｉ−Ｆｉネットワークにアクセスし、該別のＷｉ−Ｆｉネットワークを用いてＩｎｔｅｒｎｅｔにアクセスすることができる。
【０００３】
３Ｇ／４Ｇネットワークを用いてＩｎｔｅｒｎｅｔにアクセスするために、ユーザーは一般に使用するトラフィックに従って料金を支払う必要があるが、Ｗｉ−Ｆｉネットワークは一般に無料であるか、比較的料金が安い。したがって、上述の事項に基づき、別のユーザーイクイップメントを用いてＭｏｂｉｌｅ  Ｗｉ−Ｆｉルーターを用いてＩｎｔｅｒｎｅｔにアクセスするとき、ユーザーは、好ましくはＭｏｂｉｌｅ  Ｗｉ−Ｆｉルーターの位置する環境内の別のＷｉ−Ｆｉネットワークを利用して、アップリンク方向でＩｎｔｅｒｎｅｔにアクセスすることを望む。
【０００４】
現在のやり方では、別の利用可能なＷｉ−Ｆｉネットワークがあることが検出されると、Ｍｏｂｉｌｅ  Ｗｉ−Ｆｉルーターは優先的に該別のＷｉ−Ｆｉネットワークに接続し、別のユーザーイクイップメントがＭｏｂｉｌｅ  Ｗｉ−Ｆｉルーターにアクセスし、Ｍｏｂｉｌｅ  Ｗｉ−Ｆｉルーターを用いてＩｎｔｅｒｎｅｔに接続する。しかしながら、このやり方では、ユーザーイクイップメント自体のＷｉ−Ｆｉ機能が十分に利用されない。また、複数のＷｉ−Ｆｉネットワークリンクが存在するので、たやすく信号干渉が発生し、Ｍｏｂｉｌｅ  Ｗｉ−Ｆｉルーターが不必要に電気エネルギーを消費してしまう。
【発明の概要】
【０００５】
本発明は、ユーザーイクイップメントがワイヤレス・フィディリティ（Ｗｉ−Ｆｉ）アクセスポイントを用いることなく、直接的に希望のＷｉ−Ｆｉネットワークに接続することのできる、ユーザーイクイップメントによりワイヤレス・フィディリティ（Ｗｉ−Ｆｉ）にアクセスする方法およびＷｉ−Ｆｉアクセスポイントを提供する。
【０００６】
第１の態様によれば、本発明は、ユーザーイクイップメントによりワイヤレス・フィディリティ（Ｗｉ−Ｆｉ）にアクセスする方法を提供する。本方法は、
Ｗｉ−Ｆｉアクセスポイントが、第１のＷｉ−Ｆｉネットワークを発見するステップと、
ユーザーイクイップメントがＷｉ−Ｆｉアクセスポイントによって確立された第２のＷｉ−Ｆｉネットワークにアクセスした後、Ｗｉ−Ｆｉアクセスポイントが、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定するステップと、
ユーザーイクイップメントが第１のＷｉ−Ｆｉネットワークに接続できるとＷｉ−Ｆｉアクセスポイントが判定した場合、Ｗｉ−Ｆｉアクセスポイントが、第１のＷｉ−Ｆｉネットワークのネットワークアクセス構成をユーザーイクイップメントに送信するステップであって、第１のＷｉ−Ｆｉネットワークのネットワークアクセス構成はユーザーイクイップメントが第１のＷｉ−Ｆｉネットワークにアクセスするために用いられる、ステップと、
を有する。
【０００７】
第１の態様に関して、第１の実施方式では、Ｗｉ−Ｆｉアクセスポイントが第１のＷｉ−Ｆｉネットワークを発見するステップは、
Ｗｉ−Ｆｉアクセスポイントが、予め保存された第１のＷｉ−Ｆｉネットワークのネットワークアクセス構成を用いて、第１のＷｉ−Ｆｉネットワークにアクセスするステップ、
を有する。
【０００８】
第１の態様および第１の実施方式に関して、第２の実施方式では、第１のＷｉ−Ｆｉネットワークは、オペレータによって提供されるＷｉ−Ｆｉネットワークまたは別のＷｉ−Ｆｉアクセスポイントによって提供されるＷｉ−Ｆｉネットワークである。
【０００９】
第１の態様および上述の２つの実施方式に関して、第３の実施方式では、Ｗｉ−Ｆｉアクセスポイントが、第１のＷｉ−Ｆｉネットワークのネットワークアクセス構成をユーザーイクイップメントに送信するステップの後に、本方法は更に、
Ｗｉ−Ｆｉアクセスポイントが、ユーザーイクイップメントが第１のＷｉ−Ｆｉネットワークにアクセスしたか否かを問い合わせるか、または、Ｗｉ−Ｆｉアクセスポイントが、ユーザーイクイップメントによって報告されユーザーイクイップメントが第１のＷｉ−Ｆｉネットワークにアクセスしたことを示すイベントを受信するステップと、
Ｗｉ−Ｆｉアクセスポイントが、ユーザーイクイップメントへの接続を切断する工程であって、接続は第２のＷｉ−Ｆｉネットワークに基づく工程と、第１のＷｉ−Ｆｉネットワークへの接続を切断する工程と、スリープモードに入る工程とのうち少なくとも１つを実行するステップと、
を有する。
【００１０】
第１の態様および上述の３つの実施方式に関して、第４の実施方式では、通信品質に従ってユーザーイクイップメントが第１のＷｉ−Ｆｉネットワークにアクセスできるか否かを判定するステップは、特に、
第１のＷｉ−ＦｉネットワークとＷｉ−Ｆｉアクセスポイントとの間の通信品質を検出し、第１のＷｉ−ＦｉネットワークとＷｉ−Ｆｉアクセスポイントとの間の通信品質に従って、ユーザーイクイップメントが第１のＷｉ−Ｆｉネットワークにアクセスできるか否かを判定するステップ、または、
ユーザーイクイップメントとＷｉ−Ｆｉアクセスポイントとの間の通信品質に従って、且つ、第１のＷｉ−ＦｉネットワークとＷｉ−Ｆｉアクセスポイントとの間の通信品質に従って、ユーザーイクイップメントと第１のＷｉ−Ｆｉネットワークとの間の通信品質を決定し、ユーザーイクイップメントが第１のＷｉ−Ｆｉネットワークにアクセスできるか否かを判定するステップ、
を有する。
【００１１】
第１の態様および上述の４つの実施方式に関して、第５の実施方式では、通信品質は、受信信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【００１２】
第１の態様および上述の５つの実施方式に関して、第６の実施方式では、機能構成は、ユーザーイクイップメントおよび第１のＷｉ−Ｆｉネットワークによってサポートされる周波数帯域と、ユーザーイクイップメントおよび第１のＷｉ−Ｆｉネットワークの動作モードとのうち少なくとも１つを含む。
【００１３】
第１の態様および上述の６つの実施方式に関して、第７の実施方式では、ネットワークアクセス構成は、サービスセット識別子（ＳＳＩＤ）と、暗号化モードと、第１のＷｉ−Ｆｉネットワークのパスワードとのうち少なくとも１つを含む。
【００１４】
第２の態様によれば、本発明は、ユーザーイクイップメントによりワイヤレス・フィディリティ（Ｗｉ−Ｆｉ）にアクセスする方法を提供する。Ｗｉ−Ｆｉアクセスポイントは、第２のＷｉ−Ｆｉネットワークおよび第３のＷｉ−Ｆｉネットワークを確立する。本方法は、ユーザーイクイップメントがＷｉ−Ｆｉアクセスポイントによって確立された第２のＷｉ−Ｆｉネットワークにアクセスした後、Ｗｉ−Ｆｉアクセスポイントが、予め設定された条件に従って、ユーザーイクイップメントが第３のＷｉ−Ｆｉネットワークにアクセスできるか否かを判定するステップと、
ユーザーイクイップメントが第３のＷｉ−Ｆｉネットワークに接続できるとＷｉ−Ｆｉアクセスポイントが判定した場合、Ｗｉ−Ｆｉアクセスポイントが、第３のＷｉ−Ｆｉネットワークのネットワークアクセス構成をユーザーイクイップメントに送信するステップであって、第３のＷｉ−Ｆｉネットワークのネットワークアクセス構成はユーザーイクイップメントが第３のＷｉ−Ｆｉネットワークにアクセスするために用いられる、ステップと、
を有する。
【００１５】
第２の態様に関して、第１の実施方式では、Ｗｉ−Ｆｉアクセスポイントが予め設定された条件に従ってユーザーイクイップメントが第３のＷｉ−Ｆｉネットワークにアクセスできるか否かを判定するステップは、特に、
Ｗｉ−Ｆｉアクセスポイントが、ユーザーイクイップメントとＷｉ−Ｆｉアクセスポイントとの接続の負荷状態と、ユーザーイクイップメントと第３のＷｉ−Ｆｉネットワークとの間の通信品質と、ユーザーイクイップメントおよび第３のＷｉ−Ｆｉネットワークの機能構成とのうち少なくとも１つに従って、ユーザーイクイップメントが第３のＷｉ−Ｆｉネットワークにアクセスできるか否かを判定するステップ、
を有する。
【００１６】
第２の態様および第１の実施方式に関して、第２の実施方式では、通信品質は、受信信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【００１７】
第２の態様および上述の２つの実施方式に関して、第３の実施方式では、機能構成は、ユーザーイクイップメントおよび第３のＷｉ−Ｆｉネットワークによってサポートされる周波数帯域と、ユーザーイクイップメントおよび第３のＷｉ−Ｆｉネットワークの動作モードとのうち少なくとも１つを含む。
【００１８】
第２の態様および上述の３つの実施方式に関して、第４の実施方式では、ネットワークアクセス構成は、サービスセット識別子（ＳＳＩＤ）と、暗号化モードと、第３のＷｉ−Ｆｉネットワークのパスワードとのうち少なくとも１つを含む。
【００１９】
第３の態様によれば、本発明はＷｉ−Ｆｉアクセスポイントを提供する。本Ｗｉ−Ｆｉアクセスポイントは、
第１のＷｉ−Ｆｉネットワークを発見するように構成されるアクセスモジュールと、
ユーザーイクイップメントがＷｉ−Ｆｉアクセスポイントによって確立された第３のＷｉ−Ｆｉネットワークにアクセスした後に、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定するように構成される判定モジュールと、
ユーザーイクイップメントが第１のＷｉ−Ｆｉネットワークにアクセスできると判定モジュールが判定した場合、第１のＷｉ−Ｆｉネットワークのネットワークアクセス構成をユーザーイクイップメントに送信するように構成される送信モジュールであって、第１のＷｉ−Ｆｉネットワークのネットワークアクセス構成はユーザーイクイップメントが第１のＷｉ−Ｆｉネットワークにアクセスするために用いられる、送信モジュールと、
を備える。
【００２０】
第３の態様に関して、第１の実施方式では、アクセスモジュールは、予め保存された第１のＷｉ−Ｆｉネットワークのネットワークアクセス構成を用いて、第１のＷｉ−Ｆｉネットワークにアクセスするように構成される。
【００２１】
第３の態様および第１の実施方式に関して、第２の実施方式では、第１のＷｉ−Ｆｉネットワークは、オペレータによって提供されるＷｉ−Ｆｉネットワークまたは別のＷｉ−Ｆｉアクセスポイントによって提供されるＷｉ−Ｆｉネットワークである。
【００２２】
第３の態様および上述の２つの実施方式に関して、第３の実施方式では、判定モジュールは更に、送信モジュールが第１のＷｉ−Ｆｉネットワークのネットワークアクセス構成をユーザーイクイップメントに送信した後、ユーザーイクイップメントが第１のＷｉ−Ｆｉネットワークにアクセスしたか否かを問い合わせるか、または、ユーザーイクイップメントによって報告されユーザーイクイップメントが第１のＷｉ−Ｆｉネットワークにアクセスしたことを示すイベントを受信するように構成され、
送信モジュールは、ユーザーイクイップメントへの接続を切断する工程であって、接続は第２のＷｉ−Ｆｉネットワークに基づく工程と、第１のＷｉ−Ｆｉネットワークへの接続を切断する工程と、スリープモードに入る工程とのうち少なくとも１つを実行するように構成される。
【００２３】
第３の態様および上述の３つの実施方式に関して、第４の実施方式では、判定モジュールは特に、
第１のＷｉ−ＦｉネットワークとＷｉ−Ｆｉアクセスポイントとの間の通信品質を検出し、第１のＷｉ−ＦｉネットワークとＷｉ−Ｆｉアクセスポイントとの間の通信品質に従って、ユーザーイクイップメントが第１のＷｉ−Ｆｉネットワークにアクセスできるか否かを判定するように構成されるか、または、
ユーザーイクイップメントとＷｉ−Ｆｉアクセスポイントとの間の通信品質に従って、且つ、第１のＷｉ−ＦｉネットワークとＷｉ−Ｆｉアクセスポイントとの間の通信品質に従って、ユーザーイクイップメントと第１のＷｉ−Ｆｉネットワークとの間の通信品質を決定し、且つ、ユーザーイクイップメントが第１のＷｉ−Ｆｉネットワークにアクセスできるか否かを判定するように構成される。
【００２４】
第３の態様および上述の４つの実施方式に関して、第５の実施方式では、通信品質は、受信信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【００２５】
第３の態様および上述の５つの実施方式に関して、第６の実施方式では、機能構成は、ユーザーイクイップメントおよび第１のＷｉ−Ｆｉネットワークによってサポートされる周波数帯域と、ユーザーイクイップメントおよび第１のＷｉ−Ｆｉネットワークの動作モードとのうち少なくとも１つを含む。
【００２６】
第３の態様および上述の６つの実施方式に関して、第７の実施方式では、ネットワークアクセス構成は、サービスセット識別子（ＳＳＩＤ）と、暗号化モードと、第１のＷｉ−Ｆｉネットワークのパスワードとのうち少なくとも１つを含む。
【００２７】
第４の態様によれば、本発明はＷｉ−Ｆｉアクセスポイントを提供する。Ｗｉ−Ｆｉアクセスポイントは、第２のＷｉ−Ｆｉネットワークおよび第３のＷｉ−Ｆｉネットワークを確立する。本Ｗｉ−Ｆｉアクセスポイントは、
ユーザーイクイップメントがＷｉ−Ｆｉアクセスポイントによって確立された第２のＷｉ−Ｆｉネットワークにアクセスした後、予め設定された条件に従って、ユーザーイクイップメントが第３のＷｉ−Ｆｉネットワークにアクセスできるか否かを判定するように構成される判定モジュールと、
ユーザーイクイップメントが第３のＷｉ−Ｆｉネットワークにアクセスできると判定モジュールが判定した場合、第３のＷｉ−Ｆｉネットワークのネットワークアクセス構成をユーザーイクイップメントに送信するように構成される送信モジュールであって、第３のＷｉ−Ｆｉネットワークのネットワークアクセス構成はユーザーイクイップメントが第３のＷｉ−Ｆｉネットワークにアクセスするために用いられる、送信モジュールと、
を備える。
【００２８】
第４の態様に関して、第１の実施方式では、判定モジュールは特に、
ユーザーイクイップメントとＷｉ−Ｆｉアクセスポイントとの接続の負荷状態と、ユーザーイクイップメントと第３のＷｉ−Ｆｉネットワークとの間の通信品質と、ユーザーイクイップメントおよび第２のＷｉ−Ｆｉネットワークの機能構成とのうち少なくとも１つに従って、ユーザーイクイップメントが第２のＷｉ−Ｆｉネットワークにアクセスできるか否かを判定するように構成される。
【００２９】
第４の態様および第１の実施方式に関して、第２の実施方式では、通信品質は、受信信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【００３０】
第４の態様および上述の２つの実施方式に関して、第３の実施方式では、機能構成は、ユーザーイクイップメントおよび第３のＷｉ−Ｆｉネットワークによってサポートされる周波数帯域と、ユーザーイクイップメントおよび第１のＷｉ−Ｆｉネットワークの動作モードとのうち少なくとも１つを含む。
【００３１】
第４の態様および上述の３つの実施方式に関して、第４の実施方式では、ネットワークアクセス構成は、サービスセット識別子（ＳＳＩＤ）と、暗号化モードと、第３のＷｉ−Ｆｉネットワークのパスワードとのうち少なくとも１つを含む。
【００３２】
第５の態様によれば、本発明はＷｉ−Ｆｉアクセスポイントを提供する。本Ｗｉ−Ｆｉアクセスポイントは、
第１のＷｉ−Ｆｉネットワークを発見し、且つ、
ユーザーイクイップメントがＷｉ−Ｆｉアクセスポイントによって確立された第３のＷｉ−Ｆｉネットワークにアクセスした後に、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定するように構成される、プロセッサと、
ユーザーイクイップメントが第１のＷｉ−Ｆｉネットワークにアクセスできるとプロセッサが判定した場合、第１のＷｉ−Ｆｉネットワークのネットワークアクセス構成をユーザーイクイップメントに送信するように構成される送信部であって、第１のＷｉ−Ｆｉネットワークのネットワークアクセス構成はユーザーイクイップメントが第１のＷｉ−Ｆｉネットワークにアクセスするために用いられる、送信部と、
を備える。
【００３３】
第５の態様に関して、第１の実施方式では、プロセッサは、予め保存された第１のＷｉ−Ｆｉネットワークのネットワークアクセス構成を用いて、第３のＷｉ−Ｆｉネットワークにアクセスするように構成される。
【００３４】
第５の態様および第１の実施方式に関して、第２の実施方式では、第１のＷｉ−Ｆｉネットワークは、オペレータによって提供されるＷｉ−Ｆｉネットワークまたは別のＷｉ−Ｆｉアクセスポイントによって提供されるＷｉ−Ｆｉネットワークである。
【００３５】
第５の態様および上述の２つの実施方式に関して、第３の実施方式では、プロセッサは更に、第１のＷｉ−Ｆｉネットワークのネットワークアクセス構成がユーザーイクイップメントに送信された後、ユーザーイクイップメントが第１のＷｉ−Ｆｉネットワークにアクセスしたか否かを問い合わせるか、または、ユーザーイクイップメントによって報告されユーザーイクイップメントが第１のＷｉ−Ｆｉネットワークにアクセスしたことを示すイベントを受信するように構成され、
送信部は、ユーザーイクイップメントへの接続を切断する工程であって、接続は第２のＷｉ−Ｆｉネットワークに基づく工程と、第１のＷｉ−Ｆｉネットワークへの接続を切断する工程と、スリープモードに入る工程とのうち少なくとも１つを実行するように構成される。
【００３６】
第５の態様および上述の３つの実施方式に関して、第４の実施方式では、プロセッサは特に、
第１のＷｉ−ＦｉネットワークとＷｉ−Ｆｉアクセスポイントとの間の通信品質を検出し、第１のＷｉ−ＦｉネットワークとＷｉ−Ｆｉアクセスポイントとの間の通信品質に従って、ユーザーイクイップメントが第１のＷｉ−Ｆｉネットワークにアクセスできるか否かを判定するように構成されるか、または、
ユーザーイクイップメントとＷｉ−Ｆｉアクセスポイントとの間の通信品質に従って、且つ、第１のＷｉ−ＦｉネットワークとＷｉ−Ｆｉアクセスポイントとの間の通信品質に従って、ユーザーイクイップメントと第１のＷｉ−Ｆｉネットワークとの間の通信品質を決定し、且つ、ユーザーイクイップメントが第１のＷｉ−Ｆｉネットワークにアクセスできるか否かを判定するように構成される。
【００３７】
第５の態様および上述の４つの実施方式に関して、第５の実施方式では、通信品質は、受信信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【００３８】
第５の態様および上述の５つの実施方式に関して、第６の実施方式では、機能構成は、ユーザーイクイップメントおよび第１のＷｉ−Ｆｉネットワークによってサポートされる周波数帯域と、ユーザーイクイップメントおよび第１のＷｉ−Ｆｉネットワークの動作モードとのうち少なくとも１つを含む。
【００３９】
第５の態様および上述の６つの実施方式に関して、第７の実施方式では、ネットワークアクセス構成は、サービスセット識別子（ＳＳＩＤ）と、暗号化モードと、第１のＷｉ−Ｆｉネットワークのパスワードとのうち少なくとも１つを含む。
【００４０】
第６の態様によれば、本発明はＷｉ−Ｆｉアクセスポイントを提供する。本Ｗｉ−Ｆｉアクセスポイントは、第２のＷｉ−Ｆｉネットワークおよび第３のＷｉ−Ｆｉネットワークを確立する。本Ｗｉ−Ｆｉアクセスポイントは、
ユーザーイクイップメントがＷｉ−Ｆｉアクセスポイントによって確立された第２のＷｉ−Ｆｉネットワークにアクセスした後、予め設定された条件に従って、ユーザーイクイップメントが第３のＷｉ−Ｆｉネットワークにアクセスできるか否かを判定するように構成されるプロセッサと、
ユーザーイクイップメントが第３のＷｉ−Ｆｉネットワークにアクセスできるとプロセッサが判定した場合、第３のＷｉ−Ｆｉネットワークのネットワークアクセス構成をユーザーイクイップメントに送信するように構成される送信部であって、第３のＷｉ−Ｆｉネットワークのネットワークアクセス構成はユーザーイクイップメントが第３のＷｉ−Ｆｉネットワークにアクセスするために用いられる、送信部と、
を備える。
【００４１】
第６の態様に関して、第１の実施方式では、プロセッサは特に、
ユーザーイクイップメントとＷｉ−Ｆｉアクセスポイントとの接続の負荷状態と、ユーザーイクイップメントと第３のＷｉ−Ｆｉネットワークとの間の通信品質と、ユーザーイクイップメントおよび第２のＷｉ−Ｆｉネットワークの機能構成とのうち少なくとも１つに従って、ユーザーイクイップメントが第２のＷｉ−Ｆｉネットワークにアクセスできるか否かを判定するように構成される。
【００４２】
第６の態様および第１の実施方式に関して、第２の実施方式では、通信品質は、受信信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【００４３】
第６の態様および上述の２つの実施方式に関して、第３の実施方式では、機能構成は、ユーザーイクイップメントおよび第３のＷｉ−Ｆｉネットワークによってサポートされる周波数帯域と、ユーザーイクイップメントおよび第１のＷｉ−Ｆｉネットワークの動作モードとのうち少なくとも１つを含む。
【００４４】
第６の態様および上述の３つの実施方式に関して、第４の実施方式では、ネットワークアクセス構成は、サービスセット識別子（ＳＳＩＤ）と、暗号化モードと、第３のＷｉ−Ｆｉネットワークのパスワードとのうち少なくとも１つを含む。
【００４５】
本発明の実施形態において提供されるユーザーイクイップメントによりワイヤレス・フィディリティ（Ｗｉ−Ｆｉ）にアクセスする方法およびＷｉ−Ｆｉアクセスポイントによれば、Ｗｉ−Ｆｉアクセスポイントは、第１のＷｉ−Ｆｉネットワークを発見し、ユーザーイクイップメントがＷｉ−Ｆｉアクセスポイントによって確立された第２のＷｉ−Ｆｉネットワークにアクセスした後、Ｗｉ−Ｆｉアクセスポイントが、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定し、ユーザーイクイップメントが第１のＷｉ−Ｆｉネットワークに接続できるとＷｉ−Ｆｉアクセスポイントが判定した場合、Ｗｉ−Ｆｉアクセスポイントが、第１のＷｉ−Ｆｉネットワークのネットワークアクセス構成をユーザーイクイップメントに送信する。第１のＷｉ−Ｆｉネットワークのネットワークアクセス構成は、ユーザーイクイップメントが第１のＷｉ−Ｆｉネットワークにアクセスするために用いられる。このように、条件を満たすとき、ユーザーイクイップメントはＷｉ−Ｆｉアクセスポイントを利用することなく、第１のＷｉ−Ｆｉネットワークにアクセスすることができる。よって、複数のネットワークが直列に接続されることによって生じるパフォーマンスの損失（例えば信号干渉による損失）が低減され、Ｗｉ−Ｆｉアクセスポイントの電力消費が低減され、Ｗｉ−Ｆｉアクセスポイントの帯域が節約される。
【図面の簡単な説明】
【００４６】
本発明の実施形態または従来技術における技術的構成をより明確に説明するために、以下、実施形態または従来技術を説明する際に必要な添付の図面を簡単に紹介する。当然ながら、以下の説明において、添付の図面は本発明の実施形態の一部を示す。当業者であれば、これらの添付の図面から創意工夫なく他の図面を更に導出できるであろう。
【図１】既存のＭｏｂｉｌｅ  Ｗｉ−Ｆｉルーターのシステム原理図である。
【図２】本発明の実施形態１に係る、ユーザーイクイップメントによりワイヤレス・フィディリティ（Ｗｉ−Ｆｉ）にアクセスする方法の概略フローチャートである。
【図３】本発明の実施形態２に係る、ユーザーイクイップメントによりワイヤレス・フィディリティ（Ｗｉ−Ｆｉ）にアクセスする方法の概略フローチャートである。
【図４】本発明の実施形態３に係る、Ｗｉ−Ｆｉアクセスポイントの概略構造図である。
【図５】本発明の実施形態４に係る、Ｗｉ−Ｆｉアクセスポイントの概略構造図である。
【図６】本発明の実施形態５に係る、Ｗｉ−Ｆｉアクセスポイントの概略構造図である。
【図７】本発明の実施形態６に係る、Ｗｉ−Ｆｉアクセスポイントの概略構造図である。
【発明を実施するための形態】
【００４７】
本発明の実施形態の目的、技術的構成および利点をより明確にするために、以下、本発明の実施形態において添付の図面を参照して、本発明の実施形態における技術的構成を明確かつ完全に説明する。当然ながら、説明される実施形態は本発明の実施形態の一部であって全部ではない。当業者が本発明の実施形態に基づいて創意工夫なく得た他の実施形態は、全て本発明の保護範囲に包含されるものとする。
【００４８】
図２は、本発明の実施形態１に係る、ユーザーイクイップメントによりワイヤレス・フィディリティ（Ｗｉ−Ｆｉ）にアクセスする方法の概略フローチャートである。図２に示されるように、本実施形態において提供されるユーザーイクイップメントによりワイヤレス・フィディリティ（Ｗｉ−Ｆｉ）にアクセスする方法は、以下のステップを有する。
【００４９】
Ｓ１０１．Ｗｉ−Ｆｉアクセスポイントが、第１のＷｉ−Ｆｉネットワークを発見する。
【００５０】
Ｗｉ−Ｆｉアクセスポイントは、Ｍｏｂｉｌｅ  Ｗｉ−Ｆｉルーターや３Ｇ／４ＧＷＡＮカード等のモバイル無線ルーターであってよい。第１のＷｉ−Ｆｉネットワークは、オペレータによって提供されるＷｉ−Ｆｉネットワーク、別のＷｉ−Ｆｉアクセスポイントによって提供されるＷｉ−Ｆｉネットワーク等であってよい。Ｗｉ−ＦｉアクセスポイントがＷｉ−Ｆｉネットワーク範囲に移動する場合、または、オペレータの新しいＷｉ−ＦｉネットワークがＷｉ−Ｆｉアクセスポイントの位置する環境内で有効化された場合、Ｗｉ−Ｆｉアクセスポイント（例えばＭｏｂｉｌｅ  Ｗｉ−Ｆｉルーター）は、Ｍｏｂｉｌｅ  Ｗｉ−Ｆｉルーターの予め設定されたネットワークアクセス構成に従ってオペレータのＷｉ−Ｆｉネットワークにアクセスしてよい。
【００５１】
具体的には、Ｗｉ−Ｆｉアクセスポイントが第１のＷｉ−Ｆｉネットワークを発見するステップは、予め保存された第１のＷｉ−Ｆｉネットワークのネットワークアクセス構成を用いて、Ｗｉ−Ｆｉアクセスポイントが、第１のＷｉ−Ｆｉネットワークにアクセスするステップを有する。
【００５２】
Ｓ１０２．ユーザーイクイップメントがＷｉ−Ｆｉアクセスポイントによって確立された第２のＷｉ−Ｆｉネットワークにアクセスした後、Ｗｉ−Ｆｉアクセスポイントが、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定する。
【００５３】
ユーザーイクイップメントは、Ｗｉ−Ｆｉ機能を有するスマートフォンやポータブルコンピュータ等の、Ｗｉ−Ｆｉクライアント機能を有するデバイスであってよい。ユーザーイクイップメントは、Ｗｉ−Ｆｉ機能を用いてＷｉ−Ｆｉアクセスポイントに接続されてよく、或いは、ＵＳＢやＢｌｕｅｔｏｏｔｈ等の手段を用いてＷｉ−Ｆｉアクセスポイントに接続されてもよい。Ｗｉ−Ｆｉアクセスポイントは、オペレータの２Ｇ／３Ｇ／４Ｇネットワーク、オペレータのＷｉ−Ｆｉネットワーク、または別のＷｉ−Ｆｉアクセスポイントによって提供されるＷｉ−Ｆｉネットワークにアクセスする。このように、ユーザーイクイップメントは、Ｗｉ−Ｆｉアクセスポイントを利用して、オペレータの２Ｇ／３Ｇ／４ＧネットワークまたはＷｉ−Ｆｉネットワークに接続することができる。Ｗｉ−Ｆｉネットワークは、２．４ＧＨｚまたは５ＧＨｚの周波数帯域で動作してよい。
【００５４】
一般に、ユーザーイクイップメントとＷｉ−Ｆｉアクセスポイントとが共に移動するか、または、ユーザーイクイップメントが位置する環境において、オペレータの新しいＷｉ−Ｆｉネットワークが使用可能となる場合がある。ユーザーイクイップメントとＷｉ−Ｆｉアクセスポイントとが同時に移動して第１のＷｉ−Ｆｉネットワークに入る場合、または、新しい第１のＷｉ−Ｆｉネットワークが使用可能となる場合、Ｗｉ−Ｆｉアクセスポイントは、第１のＷｉ−Ｆｉネットワークにアクセスした後、Ｗｉ−Ｆｉアクセスポイントとユーザーイクイップメントとの間の通信品質と、Ｗｉ−Ｆｉアクセスポイントと第１のＷｉ−Ｆｉネットワークとの間の通信品質とを別々に評価し、それからユーザーイクイップメントと第１のＷｉ−Ｆｉネットワークとの間の通信品質を取得し、ユーザーイクイップメントとオペレータネットワークとの間の通信品質と、ユーザーイクイップメントおよびオペレータネットワークの機能構成とのうち少なくとも１つに従って、ユーザーイクイップメントが第１のＷｉ−Ｆｉネットワークに直接アクセスできるか否かを判定する。
【００５５】
第１のＷｉ−Ｆｉネットワークは、オペレータによって提供されるＷｉ−Ｆｉネットワーク、別のＷｉ−Ｆｉホットスポットによって提供されるＷｉ−Ｆｉネットワーク等であってよい。機能構成は、ユーザーイクイップメントおよび第１のＷｉ−Ｆｉネットワークのそれぞれの動作周波数帯域、動作モード等を含む。
【００５６】
ユーザーイクイップメントと第１のＷｉ−Ｆｉネットワークとの間の通信品質は、受信信号強度（ＲＳＳＩ）、信号対雑音比（ＳＮＲ）、信号対干渉雑音比（Signal  to  Interference  plus  Noise  Ratio、略称ＳＩＮＲ）、パケット誤り率（Packet  Error  Rate、略称ＰＥＲ）等のうち少なくとも１つを含むパラメータを用いて評価されてよい。
【００５７】
具体的には、Ｗｉ−ＦｉアクセスポイントがＷｉ−Ｆｉアクセスポイントとユーザーイクイップメントとの間の通信品質と、Ｗｉ−Ｆｉアクセスポイントと第１のＷｉ−Ｆｉネットワークとの間の通信品質とをそれぞれ評価し、ユーザーイクイップメントと第１のＷｉ−Ｆｉネットワークとの間の通信品質を取得するには、方法が２つある。すなわち、ユーザーイクイップメントと第１のＷｉ−Ｆｉネットワークとの間の通信品質を検出し、第１のＷｉ−ＦｉネットワークとＷｉ−Ｆｉアクセスポイントとの間の通信品質に従って、ユーザーイクイップメントが第１のＷｉ−Ｆｉネットワークにアクセスできるか否かを判定するか、または、ユーザーイクイップメントとＷｉ−Ｆｉアクセスポイントとの間の通信品質に従って、且つ、第１のＷｉ−ＦｉネットワークとＷｉ−Ｆｉアクセスポイントとの間の通信品質に従って、第１のＷｉ−ＦｉネットワークとＷｉ−Ｆｉアクセスポイントとの間の通信品質を決定し、ユーザーイクイップメントが第１のＷｉ−Ｆｉネットワークにアクセスできるか否かを判定する。具体的には、ユーザーイクイップメントとＷｉ−Ｆｉアクセスポイントとが互いに比較的近接している場合、その接続の信号品質は比較的良好であり、第１のＷｉ−ＦｉネットワークとＷｉ−Ｆｉアクセスポイントとの間の通信品質のみが検出されてよい。すなわち、ＲＳＳＩ、ＤａｔａＲａｔｅ、ＰＥＲ、ＳＮＲおよびＳＩＮＲのうち１以上のパラメータが予め設定された条件を満たす場合、第１のＷｉ−ＦｉネットワークとＷｉ−Ｆｉアクセスポイントとの間の通信品質が要件を満たすとみなされる。ユーザーイクイップメント（ＵＥ）とＷｉ−Ｆｉアクセスポイントとは一般に比較的短距離で互いに通信するので、更に、ＵＥと第１のＷｉ−Ｆｉネットワークとの通信品質が要件を満たすとみなされてよい。
【００５８】
加えて、ユーザーイクイップメント（ＵＥ）とＷｉ−Ｆｉアクセスポイントとの間の通信品質と、Ｗｉ−Ｆｉアクセスポイントと第１のＷｉ−Ｆｉネットワークとの間の通信品質とが別々に検出されて、ＵＥと第１のＷｉ−Ｆｉネットワークとの間の通信品質が評価されてもよい。上述の通信品質の全てが予め設定された条件を満たす場合、ＵＥと第１のＷｉ−Ｆｉネットワークとの通信品質が要件を満たすとみなされる。該方法は通信品質の判定においてより包括的で信頼性が高く、したがって、ユーザーイクイップメントと第１のＷｉ−Ｆｉネットワークとの間の通信品質を決定し、且つ、ユーザーイクイップメントが第１のＷｉ−Ｆｉネットワークにアクセスできるか否かを正確に判定することができる。
【００５９】
任意に、ユーザーイクイップメントが第１のＷｉ−Ｆｉネットワークにアクセスできるか否かが判定されるとき、まず、ユーザーイクイップメントおよび第１のＷｉ−Ｆｉネットワークの機能構成が要件を満たすか否かが判定されてよい。要件が満たされていない場合、ユーザーイクイップメントと第１のＷｉ−Ｆｉネットワークとの間の通信品質の検出または判定は実行される必要がない。要件が満たされている場合、ユーザーイクイップメントと第１のＷｉ−Ｆｉネットワークとの通信品質の検出および判定が更に実行される。
【００６０】
任意に、ユーザーイクイップメントが第１のＷｉ−Ｆｉネットワークにアクセスできるか否かが判定されるとき、まず、ユーザーイクイップメントと第１のＷｉ−Ｆｉネットワークとの間の通信品質が要件を満たすか否かが判定されてよい。要件が満たされていない場合、ユーザーイクイップメントおよび第１のＷｉ−Ｆｉネットワークの機能構成が要件を満たすか否かが判定される必要はない。要件が満たされている場合、ユーザーイクイップメントおよび第１のＷｉ−Ｆｉネットワークの機能構成の検出および判定が更に実行される。
【００６１】
任意に、ユーザーイクイップメントが第１のＷｉ−Ｆｉネットワークにアクセスできるか否かが判定されるとき、ユーザーイクイップメントおよび第１のＷｉ−Ｆｉネットワークの機能構成が要件を満たすか否かと、ユーザーイクイップメントと第１のＷｉ−Ｆｉネットワークとの間の通信品質が要件を満たすか否かとの両方が判定されてよい。両者が予め設定された条件を満たす場合、ユーザーイクイップメントが第１のＷｉ−Ｆｉネットワークにアクセスできるとみなされる。
【００６２】
Ｓ１０３．ユーザーイクイップメントが第１のＷｉ−Ｆｉネットワークに接続できるとＷｉ−Ｆｉアクセスポイントが判定した場合、Ｗｉ−Ｆｉアクセスポイントが、第１のＷｉ−Ｆｉネットワークのネットワークアクセス構成をユーザーイクイップメントに送信する。第１のＷｉ−Ｆｉネットワークのネットワークアクセス構成は、ユーザーイクイップメントが第１のＷｉ−Ｆｉネットワークにアクセスするために用いられる。
【００６３】
具体的には、ユーザーイクイップメントがオペレータの第１のＷｉ−ＦｉネットワークにアクセスできるとＷｉ−Ｆｉアクセスポイントが判定した後、Ｗｉ−Ｆｉアクセスポイントは、ユーザーイクイップメントがネットワークアクセス構成に従って直接的に第１のＷｉ−Ｆｉネットワークにアクセスできるように、第１のＷｉ−Ｆｉネットワークのネットワークアクセス構成（例えば、第１のＷｉ−Ｆｉネットワークのサービスセット識別子（Service  Set  Identifier、略称ＳＳＩＤ）、暗号化モード、パスワード等を含むＰｒｏｆｉｌｅファイル）をユーザーイクイップメントに送信する。Ｗｉ−Ｆｉアクセスポイントが第１のＷｉ−Ｆｉネットワークのネットワークアクセス構成を送信する前に、ネットワークアクセス構成は、第１のＷｉ−Ｆｉネットワークのネットワークアクセス構成が加持されないように、まず予め設定された鍵を用いて暗号化されてから、ユーザーイクイップメントへ送信されてよい。ユーザーイクイップメントは、Ｗｉ−Ｆｉアクセスポイントへの接続を利用して、Ｗｉ−Ｆｉアクセスポイントによって送信された第１のＷｉ−Ｆｉネットワークのネットワークアクセス構成（例えば、サービスセット識別子（ＳＳＩＤ）、暗号化モード、または第１のＷｉ−Ｆｉネットワークのパスワードを含むＰｒｏｆｉｌｅファイル）を受信する。ネットワークアクセス構成がＭｏｂｉｌｅ  Ｗｉ−Ｆｉルーターによって暗号化される場合、ユーザーイクイップメントは、予め取得される鍵を用いてネットワークアクセス構成を復号し、それにより、第１のＷｉ−Ｆｉネットワークのネットワークアクセス構成をセキュアに取得する。そして、暗号化モードやパスワード等の認証情報が、第１のＷｉ−Ｆｉネットワークのネットワークアクセス構成に含まれるサービスセット識別子（ＳＳＩＤ）に従って、第１のＷｉ−Ｆｉネットワークへ送信される。認証情報が正確であることを第１のＷｉ−Ｆｉネットワークが確認した後、ユーザーイクイップメントは第１のＷｉ−Ｆｉネットワークにアクセスする。
【００６４】
具体的には、Ｗｉ−Ｆｉアクセスポイントが第１のＷｉ−Ｆｉネットワークのネットワークアクセス構成をユーザーイクイップメントに送信した後、本方法は更に、Ｗｉ−Ｆｉアクセスポイントが、ユーザーイクイップメントが第１のＷｉ−Ｆｉネットワークにアクセスしたか否かを問い合わせるか、または、Ｗｉ−Ｆｉアクセスポイントが、ユーザーイクイップメントによって報告されユーザーイクイップメントが第１のＷｉ−Ｆｉネットワークにアクセスしたことを示すイベントを受信するステップ、を有する。以下、２つの場合を別々に詳述する。Ｗｉ−Ｆｉアクセスポイントが、ユーザーイクイップメントが第１のＷｉ−Ｆｉネットワークにアクセスしたか否かを問い合わせるステップは、Ｐｉｎｇ操作を実行することによって判定されてよい。ユーザーイクイップメントが第１のＷｉ−Ｆｉネットワークにアクセスした場合、この場合Ｗｉ−Ｆｉアクセスポイントのアップリンクネットワーク側とユーザーイクイップメントとが同じネットワークセグメントに位置するので、すなわち、Ｐｉｎｇ操作の応答メッセージを無事に受信することができるので、Ｗｉ−Ｆｉアクセスポイントは、ユーザーイクイップメントが第１のＷｉ−Ｆｉネットワークにアクセスしたことを問い合わせることができる。または、Ｗｉ−Ｆｉアクセスポイントは、ユーザーイクイップメントによって報告されユーザーイクイップメントが第１のＷｉ−Ｆｉネットワークにアクセスしたことを示すイベントを受信する。すなわち、ユーザーイクイップメントは、ユーザーイクイップメントが第１のＷｉ−Ｆｉネットワークにアクセスしたことを報告するために、能動的にメッセージをＷｉ−Ｆｉアクセスポイントに送信する。
【００６５】
任意に、ユーザーイクイップメントが第１のＷｉ−Ｆｉネットワークにアクセスした場合、Ｗｉ−Ｆｉアクセスポイントがユーザーイクイップメントが第１のＷｉ−Ｆｉネットワークにアクセスしたか否かを問い合わせるか、または、Ｗｉ−Ｆｉアクセスポイントがユーザーイクイップメントによって報告されユーザーイクイップメントが第１のＷｉ−Ｆｉネットワークにアクセスしたことを示すイベントを受信するステップの後に、Ｗｉ−Ｆｉアクセスポイントは、ユーザーイクイップメントへの接続を切断する操作であって、接続は第２のＷｉ−Ｆｉネットワークに基づく、操作と、第１のＷｉ−Ｆｉネットワークへの接続を切断する操作と、スリープモードに入る操作とのうち少なくとも１つを実行してよい。例えば、Ｗｉ−Ｆｉアクセスポイントの接続が切断され、別のユーザーイクイップメントへの接続がないとき、Ｗｉ−Ｆｉアクセスポイントはスリープモードに入って、Ｗｉ−Ｆｉアクセスポイント自体のエネルギー消費を低減する。
【００６６】
ユーザーイクイップメントがネットワークアクセス構成情報に従って直接的に第１のＷｉ−Ｆｉネットワークにアクセスした後、ユーザーイクイップメントの移動等によりユーザーイクイップメントと第１のＷｉ−Ｆｉネットワークとの接続が切断された場合、ユーザーイクイップメントはＷｉ−Ｆｉアクセスポイントに再びアクセスしてよい。この場合、Ｗｉ−Ｆｉアクセスポイントが起動され、予め設定されたネットワークアクセス構成に従って、オペレータのＷｉ−Ｆｉネットワークにアクセスする。
【００６７】
本実施形態では、Ｗｉ−Ｆｉアクセスポイントは第１のＷｉ−Ｆｉネットワークを発見する。ユーザーイクイップメントがＷｉ−Ｆｉアクセスポイントにアクセスした後、Ｗｉ−Ｆｉアクセスポイントは、ユーザーイクイップメントと第１のＷｉ−Ｆｉネットワークのネットワークとの間の通信品質と、ユーザーイクイップメントおよびオペレータネットワークの機能構成とのうち少なくとも１つに従って、ユーザーイクイップメントが第１のＷｉ−Ｆｉネットワークにアクセスできるか否かを判定する。ユーザーイクイップメントが第１のＷｉ−Ｆｉネットワークに接続できるとＷｉ−Ｆｉアクセスポイントが判定した場合、Ｗｉ−Ｆｉアクセスポイントは、第１のＷｉ−Ｆｉネットワークのネットワークアクセス構成をユーザーイクイップメントに送信する。このように、条件を満たすとき、ユーザーイクイップメントはＷｉ−Ｆｉアクセスポイントを利用することなく、第１のＷｉ−Ｆｉネットワークにアクセスすることができる。よって、複数のネットワークの連結によって生じるパフォーマンスの損失（例えば信号干渉による損失）が低減され、Ｗｉ−Ｆｉアクセスポイントの電力消費が低減され、Ｗｉ−Ｆｉアクセスポイントの帯域が節約される。
【００６８】
図３は、本発明の実施形態２に係る、ユーザーイクイップメントによりワイヤレス・フィディリティ（Ｗｉ−Ｆｉ）にアクセスする方法の概略フローチャートである。本実施形態は、ワイヤレス・フィディリティ（Ｗｉ−Ｆｉ）アクセスポイントが第２のＷｉ−Ｆｉネットワークおよび第３のＷｉ−Ｆｉネットワークを確立する実施シナリオに対応する。図３に示されるように、本実施形態において提供されるユーザーイクイップメントによりワイヤレス・フィディリティ（Ｗｉ−Ｆｉ）にアクセスする方法は、以下のステップを有する。
【００６９】
Ｓ３０１．ユーザーイクイップメントがＷｉ−Ｆｉアクセスポイントによって確立された第２のＷｉ−Ｆｉネットワークにアクセスした後、Ｗｉ−Ｆｉアクセスポイントは、予め設定された条件に従って、ユーザーイクイップメントが第３のＷｉ−Ｆｉネットワークにアクセスできるか否かを判定する。
【００７０】
ユーザーイクイップメントは、Ｗｉ−Ｆｉ機能を有するスマートフォンやポータブルコンピュータ等の、Ｗｉ−Ｆｉクライアント機能を有するデバイスであってよい。Ｗｉ−Ｆｉアクセスポイントは、Ｍｏｂｉｌｅ  Ｗｉ−Ｆｉルーター等のモバイル無線ルーターであってよい。ユーザーイクイップメントは、そのＷｉ−Ｆｉ機能を用いてＷｉ−Ｆｉアクセスポイントに接続してから、Ｗｉ−Ｆｉアクセスポイントによって確立された第２のＷｉ−Ｆｉネットワークにアクセスしてよい。
【００７１】
具体的には、Ｗｉ−Ｆｉアクセスポイントが予め設定された条件に従ってユーザーイクイップメントが第３のＷｉ−Ｆｉネットワークにアクセスできるか否かを判定するステップは、
Ｗｉ−Ｆｉアクセスポイントが、ユーザーイクイップメントとＷｉ−Ｆｉアクセスポイントとの接続の負荷状態と、ユーザーイクイップメントと第３のＷｉ−Ｆｉネットワークとの間の通信品質と、ユーザーイクイップメントおよび第３のＷｉ−Ｆｉネットワークの機能構成とのうち少なくとも１つに従って、ユーザーイクイップメントが第３のＷｉ−Ｆｉネットワークにアクセスできるか否かを判定するステップ、
を有する。
【００７２】
Ｗｉ−Ｆｉアクセスポイントは、１以上のＷｉ−Ｆｉネットワークを確立してよい。これらのＷｉ−Ｆｉネットワークは異なる機能構成とネットワークアクセス構成を有し、複数の異なるユーザーイクイップメントのアクセスを提供するのに用いられ、或いは、これらのＷｉ−Ｆｉネットワークにアクセスするユーザーイクイップメントをグループ化するのに用いられる。Ｗｉ−Ｆｉアクセスポイントが複数のアクセス可能なＷｉ−Ｆｉネットワークを有する場合、ユーザーイクイップメントが現在アクセスしているＷｉ−Ｆｉネットワークの通信負荷が比較的重いとき、ユーザーイクイップメントは、複数のアクセス可能なＷｉ−Ｆｉネットワークの負荷のバランスをとるために、ユーザーイクイップメントが現在アクセスしているＷｉ−Ｆｉネットワークから、Ｗｉ−Ｆｉアクセスポイントの別のアクセス可能なＷｉ−Ｆｉネットワークに移行してよい。具体的には、Ｗｉ−Ｆｉアクセスポイントは複数のアクセス可能なＷｉ−Ｆｉネットワーク、例えばＡＰ１およびＡＰ２を有する。異なるＷｉ−Ｆｉネットワークは、異なるユーザーサービスセット識別子（ＳＳＩＤ）を有する。ユーザーイクイップメントが現在アクセスしてるＷｉ−ＦｉアクセスポイントのＷｉ−ＦｉネットワークがＡＰ１である場合、ＡＰ１にアクセスするユーザーイクイップメントが多すぎるか、ＡＰ１において通信トラフィックが比較的大きいとき、Ｗｉ−Ｆｉアクセスポイントは、アクセスされているＷｉ−Ｆｉネットワークの通信負荷が比較的大きいと判定し、別のアクセス可能なＷｉ−Ｆｉネットワークの通信品質および機能構成に従って、１つの第２のＷｉ−ＦｉネットワークＡＰ２をユーザーイクイップメントのアクセスポイントとして選択してよい。
【００７３】
通信品質は、受信信号強度（ＲＳＳＩ）、信号対雑音比（ＳＮＲ）、信号対干渉雑音比（ＳＩＮＲ）、パケット誤り率（ＰＥＲ）等のうち少なくとも１つを含む。
【００７４】
機能構成は、ユーザーイクイップメントおよび第３のＷｉ−Ｆｉネットワークによってサポートされる周波数帯域と、ユーザーイクイップメントおよび第３のＷｉ−Ｆｉネットワークの動作モードとのうち少なくとも１つを含む。
【００７５】
ネットワークアクセス構成は、サービスセット識別子（ＳＳＩＤ）と、暗号化モードと、第３のＷｉ−Ｆｉネットワークのパスワードとのうち少なくとも１つを含む。
【００７６】
具体的には、ユーザーイクイップメントとＷｉ−Ｆｉアクセスポイントとの接続の負荷状態は、Ｗｉ−Ｆｉアクセスポイントによって確立されたＷｉ−Ｆｉネットワークにアクセスするユーザーイクイップメントの数、Ｗｉ−Ｆｉアクセスポイントによって確立されたＷｉ−Ｆｉネットワークのネットワークトラフィック状態等を含む。Ｗｉ−Ｆｉアクセスポイントによって確立されたＷｉ−Ｆｉネットワークが複数存在する場合、負荷状態は、複数のＷｉ−Ｆｉネットワークのそれぞれにアクセスするユーザーイクイップメントの数と、複数のＷｉ−Ｆｉネットワークのそれぞれのネットワークトラフィック状態である。
【００７７】
任意に、ユーザーイクイップメントが第３のＷｉ−Ｆｉネットワークにアクセスできるか否かが判定されるとき、まず、ユーザーイクイップメントとＷｉ−Ｆｉアクセスポイントとの接続の負荷状態が要件を満たすか否かが判定されてよい。要件が満たされていない場合、ユーザーイクイップメントおよび第３のＷｉ−Ｆｉネットワークの機能構成と、ユーザーイクイップメントと第３のＷｉ−Ｆｉネットワークとの間の通信品質とが要件を満たすか否かは、判定される必要がない。要件が満たされている場合、ユーザーイクイップメントおよび第３のＷｉ−Ｆｉネットワークの機能構成と、ユーザーイクイップメントと第３のＷｉ−Ｆｉネットワークとの間の通信品質との検出および判定が、更に実行される。
【００７８】
任意に、ユーザーイクイップメントが第３のＷｉ−Ｆｉネットワークにアクセスできるか否かが判定されるとき、まず、ユーザーイクイップメントおよび第３のＷｉ−Ｆｉネットワークの機能構成が要件を満たすか否かが判定されてよい。要件が満たされていない場合、ユーザーイクイップメントとＷｉ−Ｆｉアクセスポイントとの接続の負荷状態と、ユーザーイクイップメントと第３のＷｉ−Ｆｉネットワークとの間の通信品質との検出または判定が実行される必要はない。要件が満たされている場合、ユーザーイクイップメントとＷｉ−Ｆｉアクセスポイントとの接続の負荷状態と、ユーザーイクイップメントと第３のＷｉ−Ｆｉネットワークとの間の通信品質との検出および判定が、更に実行される。
【００７９】
任意に、ユーザーイクイップメントが第３のＷｉ−Ｆｉネットワークにアクセスできるか否かが判定されるとき、まず、ユーザーイクイップメントと第３のＷｉ−Ｆｉネットワークとの間の通信品質が要件を満たすか否かが判定されてよい。要件が満たされていない場合、ユーザーイクイップメントとＷｉ−Ｆｉアクセスポイントとの接続の負荷状態と、ユーザーイクイップメントおよび第３のＷｉ−Ｆｉネットワークの機能構成とが要件を満たすか否かは、判定される必要がない。要件が満たされている場合、ユーザーイクイップメントとＷｉ−Ｆｉアクセスポイントとの接続の負荷状態と、ユーザーイクイップメントおよび第３のＷｉ−Ｆｉネットワークの機能構成との検出および判定が、更に実行される。
【００８０】
任意に、ユーザーイクイップメントが第３のＷｉ−Ｆｉネットワークにアクセスできるか否かが判定されるとき、ユーザーイクイップメントとＷｉ−Ｆｉアクセスポイントとの接続の負荷状態と、ユーザーイクイップメントおよび第３のＷｉ−Ｆｉネットワークの機能構成と、ユーザーイクイップメントと第３のＷｉ−Ｆｉネットワークとの間の通信品質とのうち、いずれか２つまたは３つ全部が要件を満たすか否かが、判定されてよい。いずれか２つまたは３つ全部が同時に予め設定された条件を満たす場合、ユーザーイクイップメントが第３のＷｉ−Ｆｉネットワークにアクセスできるとみなされてよい。
【００８１】
Ｓ３０２．ユーザーイクイップメントが第３のＷｉ−Ｆｉネットワークに接続できるとＷｉ−Ｆｉアクセスポイントが判定した場合、Ｗｉ−Ｆｉアクセスポイントが、第３のＷｉ−Ｆｉネットワークのネットワークアクセス構成をユーザーイクイップメントに送信する。第３のＷｉ−Ｆｉネットワークのネットワークアクセス構成は、ユーザーイクイップメントが第３のＷｉ−Ｆｉネットワークにアクセスするために用いられる。
【００８２】
具体的には、ユーザーイクイップメントが第３のＷｉ−Ｆｉネットワークに接続できるとＷｉ−Ｆｉアクセスポイントが判定した場合、Ｗｉ−Ｆｉアクセスポイントが、第３のＷｉ−Ｆｉネットワークのネットワークアクセス構成をユーザーイクイップメントに送信する。そして、ユーザーイクイップメントは、第３のＷｉ−Ｆｉネットワークのネットワークアクセス構成に含まれるサービスセット識別子（ＳＳＩＤ）および暗号化モードに従って、パスワード等の認証情報を第３のＷｉ−Ｆｉネットワークに送信し、認証情報が正確であると確認された後、第３のＷｉ−Ｆｉネットワークにアクセスする。
【００８３】
本実施形態では、Ｗｉ−Ｆｉアクセスポイントが第２のＷｉ−Ｆｉネットワークおよび第３のＷｉ−Ｆｉネットワークを確立する。ユーザーイクイップメントがＷｉ−Ｆｉアクセスポイントによって確立された第２のＷｉ−Ｆｉネットワークにアクセスした後、Ｗｉ−Ｆｉアクセスポイントは、予め設定された条件に従って、ユーザーイクイップメントが第３のＷｉ−Ｆｉネットワークにアクセスできるか否かを判定する。ユーザーイクイップメントが第３のＷｉ−Ｆｉネットワークに接続できるとＷｉ−Ｆｉアクセスポイントが判定した場合、Ｗｉ−Ｆｉアクセスポイントは、第３のＷｉ−Ｆｉネットワークのネットワークアクセス構成をユーザーイクイップメントに送信する。第３のＷｉ−Ｆｉネットワークのネットワークアクセス構成は、ユーザーイクイップメントが第３のＷｉ−Ｆｉネットワークにアクセスするために用いられる。このように、ユーザーイクイップメントは、もともとＷｉ−Ｆｉアクセスポイントに接続していたネットワークから別のＷｉ−Ｆｉネットワークに切り替わって、Ｗｉ−Ｆｉアクセスポイントに接続する。
【００８４】
図４は、本発明の実施形態３に係るＷｉ−Ｆｉアクセスポイントの概略構造図である。図４に示されるように、本実施形態において提供されるＷｉ−Ｆｉアクセスポイント４１は、以下の要素を有する。
アクセスモジュール４０１は、第１のＷｉ−Ｆｉネットワークを発見するように構成される。
判定モジュール４０２は、ユーザーイクイップメントがＷｉ−Ｆｉアクセスポイント４１によって確立された第３のＷｉ−Ｆｉネットワークにアクセスした後、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定するように構成される。
送信モジュール４０３は、ユーザーイクイップメントが第１のＷｉ−Ｆｉネットワークにアクセスできると判定モジュール４０２が判定した場合、記第１のＷｉ−Ｆｉネットワークのネットワークアクセス構成をユーザーイクイップメントに送信するように構成される。第１のＷｉ−Ｆｉネットワークのネットワークアクセス構成は、ユーザーイクイップメントが第１のＷｉ−Ｆｉネットワークにアクセスするために用いられる。
【００８５】
具体的には、アクセスモジュール４０１は、予め保存された第１のＷｉ−Ｆｉネットワークのネットワークアクセス構成を用いて、第１のＷｉ−Ｆｉネットワークにアクセスするように構成されてよい。
【００８６】
具体的には、第１のＷｉ−Ｆｉネットワークは、オペレータによって提供されるＷｉ−Ｆｉネットワークまたは別のＷｉ−Ｆｉアクセスポイントによって提供されるＷｉ−Ｆｉネットワークである。
【００８７】
具体的には、判定モジュール４０２は更に、送信モジュール４０３が第１のＷｉ−Ｆｉネットワークのネットワークアクセス構成をユーザーイクイップメントに送信した後、ユーザーイクイップメントが第１のＷｉ−Ｆｉネットワークにアクセスしたか否かを問い合わせるか、または、ユーザーイクイップメントによって報告されユーザーイクイップメントが第１のＷｉ−Ｆｉネットワークにアクセスしたことを示すイベントを受信するように構成されてよい。
【００８８】
送信モジュール４０３は、ユーザーイクイップメントへの接続を切断する工程であって、該接続は第２のＷｉ−Ｆｉネットワークに基づく工程と、第１のＷｉ−Ｆｉネットワークへの接続を切断する工程と、スリープモードに入る工程とのうち少なくとも１つを実行するように構成される。
【００８９】
具体的には、判定モジュール４０２は、
第１のＷｉ−ＦｉネットワークとＷｉ−Ｆｉアクセスポイントとの間の通信品質を検出し、第１のＷｉ−ＦｉネットワークとＷｉ−Ｆｉアクセスポイント４１との間の通信品質に従って、ユーザーイクイップメントが第１のＷｉ−Ｆｉネットワークにアクセスできるか否かを判定するように構成されるか、または、
ユーザーイクイップメントとＷｉ−Ｆｉアクセスポイント４１との間の通信品質に従って、且つ、第１のＷｉ−ＦｉネットワークとＷｉ−Ｆｉアクセスポイント４１との間の通信品質に従って、ユーザーイクイップメントと第１のＷｉ−Ｆｉネットワークとの間の通信品質を決定し、且つ、ユーザーイクイップメントが第１のＷｉ−Ｆｉネットワークにアクセスできるか否かを判定するように構成されてよい。
【００９０】
具体的には、通信品質は、受信信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【００９１】
具体的には、機能構成は、ユーザーイクイップメントおよび第１のＷｉ−Ｆｉネットワークによってサポートされる周波数帯域と、ユーザーイクイップメントおよび第１のＷｉ−Ｆｉネットワークの動作モードとのうち少なくとも１つを含む。
【００９２】
具体的には、ネットワークアクセス構成は、サービスセット識別子（ＳＳＩＤ）と、暗号化モードと、第１のＷｉ−Ｆｉネットワークのパスワードとのうち少なくとも１つを含む。
【００９３】
本実施形態において提供されるＷｉ−Ｆｉアクセスポイントがユーザーイクイップメントによりワイヤレス・フィディリティ（Ｗｉ−Ｆｉ）ネットワークにアクセスする方法を実行する具体的なプロセスについては、図２に示される方法実施形態の関連説明を参照されたい。ここでは詳細の説明を省略する。
【００９４】
本実施形態では、アクセスモジュールは、第１のＷｉ−Ｆｉネットワークを発見するように構成される。判定モジュールは、ユーザーイクイップメントがＷｉ−Ｆｉアクセスポイントにアクセスした後、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定するように構成される。送信モジュールは、ユーザーイクイップメントが第１のＷｉ−Ｆｉネットワークにアクセスできると判定モジュールが判定した場合、ユーザーイクイップメントがネットワークアクセス構成に従って第１のＷｉ−Ｆｉネットワークに直接アクセスできるように、第１のＷｉ−Ｆｉネットワークのネットワークアクセス構成をユーザーイクイップメントに送信するように構成される。このように、条件を満たすとき、ユーザーイクイップメントはＷｉ−Ｆｉアクセスポイントを利用することなく、第１のＷｉ−Ｆｉネットワークにアクセスすることができる。よって、複数のネットワークの連結によって生じるパフォーマンスの損失（例えば信号干渉による損失）が低減され、Ｗｉ−Ｆｉアクセスポイントの電力消費が低減され、Ｗｉ−Ｆｉアクセスポイントの帯域が節約される。
【００９５】
図５は、本発明の実施形態４に係るＷｉ−Ｆｉアクセスポイントの概略構造図である。図５に示されるように、本実施形態において提供されるＷｉ−Ｆｉアクセスポイント５１は、第２のＷｉ−Ｆｉネットワークおよび第３のＷｉ−Ｆｉネットワークを確立する。Ｗｉ−Ｆｉアクセスポイント５１は、以下の要素を有する。
判定モジュール５０１は、ユーザーイクイップメントがＷｉ−Ｆｉアクセスポイント５１によって確立された第２のＷｉ−Ｆｉネットワークにアクセスした後、予め設定された条件に従って、ユーザーイクイップメントが第３のＷｉ−Ｆｉネットワークにアクセスできるか否かを判定するように構成される。
送信モジュール５０２は、判定モジュールが予め設定された条件に従ってユーザーイクイップメントが第３のＷｉ−Ｆｉネットワークにアクセスできると判定した場合、第３のＷｉ−Ｆｉネットワークのネットワークアクセス構成をユーザーイクイップメントに送信するように構成される。第３のＷｉ−Ｆｉネットワークのネットワークアクセス構成は、ユーザーイクイップメントが第３のＷｉ−Ｆｉネットワークにアクセスするために用いられる。
【００９６】
具体的には、判定モジュール５０１は、ユーザーイクイップメントとＷｉ−Ｆｉアクセスポイント５１との接続の負荷状態と、ユーザーイクイップメントと第３のＷｉ−Ｆｉネットワークとの間の通信品質と、ユーザーイクイップメントおよび第２のＷｉ−Ｆｉネットワークの機能構成とのうち少なくとも１つに従って、ユーザーイクイップメントが第２のＷｉ−Ｆｉネットワークにアクセスできるか否かを判定するように構成されてよい。
【００９７】
具体的には、通信品質は、受信信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【００９８】
具体的には、機能構成は、ユーザーイクイップメントおよび第３のＷｉ−Ｆｉネットワークによってサポートされる周波数帯域と、ユーザーイクイップメントおよび第１のＷｉ−Ｆｉネットワークの動作モードとのうち少なくとも１つを含む。
【００９９】
本実施形態において提供されるＷｉ−Ｆｉアクセスポイントがユーザーイクイップメントによりワイヤレス・フィディリティ（Ｗｉ−Ｆｉ）ネットワークにアクセスする方法を実行する具体的なプロセスについては、図３に示される方法実施形態の関連の説明を参照されたい。ここでは詳細の説明を省略する。
【０１００】
本実施形態では、Ｗｉ−Ｆｉアクセスポイントが第２のＷｉ−Ｆｉネットワークおよび第３のＷｉ−Ｆｉネットワークを確立する。Ｗｉ−Ｆｉアクセスポイントの判定モジュールは、ユーザーイクイップメントがＷｉ−Ｆｉアクセスポイントによって確立された第２のＷｉ−Ｆｉネットワークにアクセスした後、予め設定された条件に従って、ユーザーイクイップメントが第３のＷｉ−Ｆｉネットワークにアクセスできるか否かを判定するように構成される。送信モジュールは、ユーザーイクイップメントが第３のＷｉ−Ｆｉネットワークにアクセスできると判定モジュールが判定した場合、第３のＷｉ−Ｆｉネットワークのネットワークアクセス構成をユーザーイクイップメントに送信するように構成される。第３のＷｉ−Ｆｉネットワークのネットワークアクセス構成は、ユーザーイクイップメントが第３のＷｉ−Ｆｉネットワークにアクセスするために用いられる。このように、ユーザーイクイップメントは、もともとＷｉ−Ｆｉアクセスポイントに接続していたネットワークから別のＷｉ−Ｆｉネットワークに切り替わって、Ｗｉ−Ｆｉアクセスポイントに接続する。
【０１０１】
図６は、本発明の実施形態５に係るＷｉ−Ｆｉアクセスポイントの概略構造図である。図６に示されるように、本実施形態において提供されるＷｉ−Ｆｉアクセスポイント６１は、以下の要素を有する。
プロセッサ６０１は、第１のＷｉ−Ｆｉネットワークを発見し、ユーザーイクイップメントがＷｉ−Ｆｉアクセスポイント６１によって確立された第３のＷｉ−Ｆｉネットワークにアクセスした後、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定するように構成される。
送信部６０２は、ユーザーイクイップメントが第１のＷｉ−Ｆｉネットワークにアクセスできるとプロセッサ６０１が判定した場合、第１のＷｉ−Ｆｉネットワークのネットワークアクセス構成をユーザーイクイップメントに送信するように構成される。第１のＷｉ−Ｆｉネットワークのネットワークアクセス構成は、ユーザーイクイップメントが第１のＷｉ−Ｆｉネットワークにアクセスするために用いられる。
【０１０２】
具体的には、プロセッサ６０１は、予め保存された第１のＷｉ−Ｆｉネットワークのネットワークアクセス構成を用いて、第１のＷｉ−Ｆｉネットワークにアクセスするように構成されてよい。
【０１０３】
具体的には、第１のＷｉ−Ｆｉネットワークは、オペレータによって提供されるＷｉ−Ｆｉネットワークまたは別のＷｉ−Ｆｉアクセスポイントによって提供されるＷｉ−Ｆｉネットワークである。
【０１０４】
具体的には、プロセッサ６０１は更に、送信部６０２が第１のＷｉ−Ｆｉネットワークのネットワークアクセス構成をユーザーイクイップメントに送信した後、ユーザーイクイップメントが第１のＷｉ−Ｆｉネットワークにアクセスしたか否かを問い合わせるか、または、ユーザーイクイップメントによって報告されユーザーイクイップメントが第１のＷｉ−Ｆｉネットワークにアクセスしたことを示すイベントを受信するように構成されてよい。
【０１０５】
送信部６０２は、ユーザーイクイップメントへの接続を切断する工程であって、接続は第２のＷｉ−Ｆｉネットワークに基づく、工程と、第１のＷｉ−Ｆｉネットワークへの接続を切断する工程と、スリープモードに入る工程とのうち少なくとも１つを実行するように構成される。
【０１０６】
具体的には、プロセッサ６０１は、
第１のＷｉ−ＦｉネットワークとＷｉ−Ｆｉアクセスポイントとの間の通信品質を検出し、第１のＷｉ−ＦｉネットワークとＷｉ−Ｆｉアクセスポイント６１との間の通信品質に従って、ユーザーイクイップメントが第１のＷｉ−Ｆｉネットワークにアクセスできるか否かを判定するように構成されるか、または、
ユーザーイクイップメントとＷｉ−Ｆｉアクセスポイント６１との間の通信品質に従って、且つ、第１のＷｉ−ＦｉネットワークとＷｉ−Ｆｉアクセスポイント６１との間の通信品質に従って、ユーザーイクイップメントと第１のＷｉ−Ｆｉネットワークとの間の通信品質を決定し、且つ、ユーザーイクイップメントが第１のＷｉ−Ｆｉネットワークにアクセスできるか否かを判定するように構成されてよい。
【０１０７】
具体的には、通信品質は、受信信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【０１０８】
具体的には、機能構成は、ユーザーイクイップメントおよび第１のＷｉ−Ｆｉネットワークによってサポートされる周波数帯域と、ユーザーイクイップメントおよび第１のＷｉ−Ｆｉネットワークの動作モードとのうち少なくとも１つを含む。
【０１０９】
具体的には、ネットワークアクセス構成は、サービスセット識別子（ＳＳＩＤ）と、暗号化モードと、第１のＷｉ−Ｆｉネットワークのパスワードとのうち少なくとも１つを含む。
【０１１０】
本実施形態において提供されるＷｉ−Ｆｉアクセスポイントがユーザーイクイップメントによりワイヤレス・フィディリティ（Ｗｉ−Ｆｉ）ネットワークにアクセスする方法を実行する具体的なプロセスについては、図２に示される方法実施形態の関連の説明を参照されたい。ここでは詳細の説明を省略する。
【０１１１】
本実施形態では、プロセッサは、第１のＷｉ−Ｆｉネットワークを発見し、ユーザーイクイップメントがＷｉ−Ｆｉアクセスポイントにアクセスした後、ユーザーイクイップメントと第１のＷｉ−Ｆｉネットワークとの間の通信品質と、ユーザーイクイップメントおよび第１のＷｉ−Ｆｉネットワークの機能構成とのうち少なくとも１つに従って、ユーザーイクイップメントが第１のＷｉ−Ｆｉネットワークにアクセスできるか否かを判定するように構成される。送信部は、ユーザーイクイップメントが第１のＷｉ−Ｆｉネットワークにアクセスできるとプロセッサが判定した場合、ユーザーイクイップメントがネットワークアクセス構成に従って第１のＷｉ−Ｆｉネットワークに直接アクセスできるように、第１のＷｉ−Ｆｉネットワークのネットワークアクセス構成をユーザーイクイップメントに送信するように構成される。このように、条件を満たすとき、ユーザーイクイップメントはＷｉ−Ｆｉアクセスポイントを利用することなく、第１のＷｉ−Ｆｉネットワークにアクセスすることができる。よって、複数のネットワークの連結によって生じるパフォーマンスの損失（例えば信号干渉による損失）が低減され、Ｗｉ−Ｆｉアクセスポイントの電力消費が低減され、Ｗｉ−Ｆｉアクセスポイントの帯域が節約される。
【０１１２】
図７は、本発明の実施形態６に係るＷｉ−Ｆｉアクセスポイントの概略構造図である。図７に示されるように、本実施形態において提供されるＷｉ−Ｆｉアクセスポイント７１は、第２のＷｉ−Ｆｉネットワークおよび第３のＷｉ−Ｆｉネットワークを確立する。Ｗｉ−Ｆｉアクセスポイント７１は、以下の要素を有する。
プロセッサ７０１は、ユーザーイクイップメントがＷｉ−Ｆｉアクセスポイント７１によって確立された第２のＷｉ−Ｆｉネットワークにアクセスした後、予め設定された条件に従って、ユーザーイクイップメントが第３のＷｉ−Ｆｉネットワークにアクセスできるか否かを判定するように構成される。
送信部７０２は、ユーザーイクイップメントが第３のＷｉ−Ｆｉネットワークにアクセスできるとプロセッサ７０１が判定した場合、第３のＷｉ−Ｆｉネットワークのネットワークアクセス構成をユーザーイクイップメントに送信するように構成される。第３のＷｉ−Ｆｉネットワークのネットワークアクセス構成は、ユーザーイクイップメントが第３のＷｉ−Ｆｉネットワークにアクセスするために用いられる。
【０１１３】
具体的には、プロセッサ７０１は、ユーザーイクイップメントとＷｉ−Ｆｉアクセスポイント６１との接続の負荷状態と、ユーザーイクイップメントと第３のＷｉ−Ｆｉネットワークとの間の通信品質と、ユーザーイクイップメントおよび第２のＷｉ−Ｆｉネットワークの機能構成とのうち少なくとも１つに従って、ユーザーイクイップメントが第２のＷｉ−Ｆｉネットワークにアクセスできるか否かを判定するように構成されてよい。
【０１１４】
具体的には、通信品質は、受信信号強度（ＲＳＳＩ）、信号対雑音比（ＳＮＲ）、信号対干渉雑音比（ＳＩＮＲ）およびパケット誤り率（ＰＥＲ）のうち少なくとも１つを含む。
【０１１５】
具体的には、機能構成は、ユーザーイクイップメントおよび第３のＷｉ−Ｆｉネットワークによってサポートされる周波数帯域と、ユーザーイクイップメントおよび第１のＷｉ−Ｆｉネットワークの動作モードとのうち少なくとも１つを含む。
【０１１６】
本実施形態において提供されるＷｉ−Ｆｉアクセスポイントがユーザーイクイップメントによりワイヤレス・フィディリティ（Ｗｉ−Ｆｉ）ネットワークにアクセスする方法を実行する具体的なプロセスについては、図３に示される方法実施形態の関連の説明を参照されたい。ここでは詳細の説明を省略する。
【０１１７】
本実施形態では、Ｗｉ−Ｆｉアクセスポイントが第２のＷｉ−Ｆｉネットワークおよび第３のＷｉ−Ｆｉネットワークを確立する。Ｗｉ−Ｆｉアクセスポイントのプロセッサは、ユーザーイクイップメントがＷｉ−Ｆｉアクセスポイントによって確立された第２のＷｉ−Ｆｉネットワークにアクセスした後、予め設定された条件に従って、ユーザーイクイップメントが第３のＷｉ−Ｆｉネットワークにアクセスできるか否かを判定するように構成される。送信部は、ユーザーイクイップメントが第３のＷｉ−Ｆｉネットワークにアクセスできるとプロセッサが判定した場合、第３のＷｉ−Ｆｉネットワークのネットワークアクセス構成をユーザーイクイップメントに送信するように構成される。第３のＷｉ−Ｆｉネットワークのネットワークアクセス構成は、ユーザーイクイップメントが第３のＷｉ−Ｆｉネットワークにアクセスするために用いられる。このように、ユーザーイクイップメントは、もともとＷｉ−Ｆｉアクセスポイントに接続していたネットワークから別のＷｉ−Ｆｉネットワークに切り替わって、Ｗｉ−Ｆｉアクセスポイントに接続する。
【０１１８】
当業者であれば理解できるように、実施形態において提供される端末のモジュールまたはエンティティは、実施形態の説明に従って分散して端末に配置されてよく、実施形態に記載の装置とは異なる１以上の装置に配置されてもよい。上述の実施形態におけるモジュールまたはエンティティは、１つのモジュールまたはエンティティとして組み合わされてよく、複数のサブモジュールまたはエンティティに分割されてもよい。
【０１１９】
当業者であれば、方法実施形態のステップの全部または一部がプログラム命令関連ハードウェアによって実現されてよいことが理解できるであろう。プログラムは、コンピューター可読の記憶媒体に保存されてよい。プログラムが作動すると、方法実施形態が実行される。上述の記憶媒体の例として、ＲＯＭ、ＲＡＭ、磁気ディスク、光ディスク等の、プログラムコードを保存可能な媒体が挙げられる。
【０１２０】
最後に、留意すべきこととして、上述の実施形態は本発明の技術的構成を説明することを意図するものに過ぎず、本発明の限定を意図するものではない。上述の実施形態を参照して本発明を詳細に説明したが、当業者であれば、本発明の実施形態の技術的構成の範囲から逸脱することなく、上述の実施形態に記載の技術的構成に変更を行えること、或いは、それらの技術的特徴の一部または全部に均等置換を行えることが理解できるであろう。
【国際調査報告】
2016533683.tif 000010
2016533683.tif 000011
2016533683.tif 000012
2016533683.tif 000013